(57)【要約】本出願の実施形態は、リソース再割振りによって引き起こされる端末デバイスの受信性能損失を低減するための、ワイヤレス通信方法、ネットワークデバイス、および端末デバイスを開示する。本方法は、ネットワークデバイスによって物理ダウンリンク制御チャネルを送るステップであって、ＰＤＣＣＨは、ネットワークデバイスによってスケジュールされた１つまたは複数の時間周波数リソースを示す、ステップと、ネットワークデバイスによって時間周波数リソースのうちの少なくとも１つを再割り振りするステップと、ネットワークデバイスによって少なくとも１つのポステリアリソース指示情報を送るステップであって、少なくとも１つのポステリアリソース指示情報は、時間周波数リソース中の再割り振りされた時間周波数リソースを示す、ステップとを含む。
2019533934.tif 000002
【特許請求の範囲】
【請求項１】
ネットワークデバイスによって物理ダウンリンク制御チャネルＰＤＣＣＨを送るステップであって、前記ＰＤＣＣＨは、前記ネットワークデバイスによってスケジュールされた１つまたは複数の時間周波数リソースを示す、ステップと、
前記ネットワークデバイスによって前記時間周波数リソースのうちの少なくとも１つを再割り振りするステップと、
前記ネットワークデバイスによって少なくとも１つのポステリアリソース指示情報を送るステップであって、前記少なくとも１つのポステリアリソース指示情報は、前記時間周波数リソース中の前記再割り振りされた時間周波数リソースを示す、ステップと
を含む、ワイヤレス通信方法。
【請求項２】
ネットワークデバイスによって物理ダウンリンク制御チャネルＰＤＣＣＨを送る前記ステップの前に、前記方法は、
前記ネットワークデバイスによって端末デバイスに第１の指示シグナリングを送るステップであって、前記第１の指示シグナリングが、再割り振りされ得る少なくとも１つの周波数領域リソースを示す、ステップ
をさらに含む請求項１に記載の方法。
【請求項３】
ネットワークデバイスによって物理ダウンリンク制御チャネルＰＤＣＣＨを送る前記ステップの前に、前記方法は、
前記ネットワークデバイスによって前記端末デバイスに第２の指示シグナリングを送るステップであって、前記第２の指示シグナリングが、前記端末デバイスが前記少なくとも１つのポステリアリソース指示情報を受信する必要があるかどうかを示す、ステップ
をさらに含む請求項１または２に記載の方法。
【請求項４】
前記時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つのシンボルを備える請求項１乃至３のいずれか一項に記載の方法。
【請求項５】
前記少なくとも１つのポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，Ｘ］であり、Ｘは共通ポステリアリソース指示情報の量である請求項４に記載の方法。
【請求項６】
各共通ポステリアリソース指示情報は、時間領域中の前記対応する時間領域スケジューリングユニット中の最後のＭ個のシンボル上で搬送され、Ｍ≧１である請求項５に記載の方法。
【請求項７】
前記少なくとも１つのポステリアリソース指示情報を搬送するために使用される時間周波数リソースは、システムによって指定された予約済みリソースである請求項１乃至６のいずれか一項に記載の方法。
【請求項８】
前記少なくとも１つのポステリアリソース指示情報は、少なくとも１つの専用ポステリアリソース指示情報を備え、前記少なくとも１つの専用ポステリアリソース指示情報は、少なくとも１つの端末デバイスとの１対１の対応にあり、前記少なくとも１つの端末デバイスは、前記ＰＤＣＣＨによってスケジュールされた端末デバイスに属し、前記少なくとも１つの専用ポステリアリソース指示情報中のＪ番目の専用ポステリアリソース指示情報は、前記Ｊ番目の専用ポステリアリソース指示情報に対応する端末デバイスに割り振られた時間周波数リソース中の少なくとも１つの再割り振りされた時間周波数リソースを示し、Ｊ∈［１，Ｙ］であり、Ｙは端末デバイスの量である請求項１乃至４のいずれか一項に記載の方法。
【請求項９】
各専用ポステリアリソース指示情報は、対応する端末デバイスに割り振られ前記ＰＤＣＣＨによって示される最後のＮ個のシンボル上で搬送され、Ｎ≧１である請求項８に記載の方法。
【請求項１０】
前記少なくとも１つのポステリアリソース指示情報を搬送するために使用される時間周波数リソースは、再割り振りされるのを禁止された時間周波数リソースである請求項８または９に記載の方法。
【請求項１１】
ネットワークデバイスによって送られた第１の物理ダウンリンク制御チャネルＰＤＣＣＨを端末デバイスによって受信するステップであって、前記第１のＰＤＣＣＨは、前記端末デバイスのために前記ネットワークデバイスによってスケジュールされた１つまたは複数の第１の時間周波数リソースを示す、ステップと、
前記ネットワークデバイスによって送られた少なくとも１つの第１のポステリアリソース指示情報を前記端末デバイスによって受信するステップであって、前記少なくとも１つの第１のポステリアリソース指示情報は、前記第１の時間周波数リソース中の少なくとも１つの再割り振りされた時間周波数リソースを示す、ステップと、
前記ネットワークデバイスによって前記端末デバイスに送られたダウンリンクデータを、前記ＰＤＣＣＨおよび前記少なくとも１つの第１のポステリアリソース指示情報に基づいて前記端末デバイスによって受信するステップと
を含む、ワイヤレス通信方法。
【請求項１２】
ネットワークデバイスによって送られた第１の物理ダウンリンク制御チャネルＰＤＣＣＨを端末デバイスによって受信する前記ステップの前に、前記方法は、
前記ネットワークデバイスによって送られた第１の指示シグナリングを前記端末デバイスによって受信するステップであって、前記第１の指示シグナリングが、再割り振りされ得る少なくとも１つの周波数領域リソースを示す、ステップ
をさらに含む請求項１１に記載の方法。
【請求項１３】
前記ネットワークデバイスによって送られた第１の物理ダウンリンク制御チャネルＰＤＣＣＨを端末デバイスによって受信する前記ステップの前に、前記方法は、
前記ネットワークデバイスによって送られた第２の指示シグナリングを前記端末デバイスによって受信するステップと、
前記端末デバイスが前記少なくとも１つの第１のポステリアリソース指示情報を受信する必要があると、前記第２の指示シグナリングに基づいて前記端末デバイスによって判定するステップと
をさらに含む請求項１１または１２に記載の方法。
【請求項１４】
前記第１の時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つのシンボルを備える請求項１１乃至１３のいずれか一項に記載の方法。
【請求項１５】
前記少なくとも１つの第１のポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，ｘ］であり、ｘは共通ポステリアリソース指示情報の量である請求項１４に記載の方法。
【請求項１６】
各共通ポステリアリソース指示情報は、時間領域中の前記対応する時間領域スケジューリングユニット中の最後のＭ個のシンボル上で搬送され、Ｍ≧１である請求項１５に記載の方法。
【請求項１７】
前記少なくとも１つの第１のポステリアリソース指示情報を搬送するために使用される時間周波数リソースは、システムによって指定された予約済みリソースである請求項１１乃至１６のいずれか一項に記載の方法。
【請求項１８】
前記第１のポステリアリソース指示情報は、特に第１の専用ポステリアリソース指示情報であり、前記第１の専用ポステリアリソース指示情報は、前記端末デバイスに割り振られた前記時間周波数リソース中の前記再割り振りされた時間周波数リソースを示し、
前記ネットワークデバイスによって前記端末デバイスに送られたダウンリンクデータを、前記ＰＤＣＣＨおよび前記少なくとも１つの第１のポステリアリソース指示情報に基づいて前記端末デバイスによって受信する前記ステップは、
前記再割り振りされた時間周波数リソース上で搬送されるデータを、前記ＰＤＣＣＨおよび前記第１の専用ポステリアリソース指示情報に基づいて前記端末デバイスによって復調または復号することをスキップするステップ
を含む請求項１１乃至１４のいずれか一項に記載の方法。
【請求項１９】
前記第１の専用ポステリアリソース指示情報は、前記第１の時間周波数リソースの最後のＮ個のシンボル上で搬送され、Ｎ≧１である請求項１８に記載の方法。
【請求項２０】
前記第１の専用ポステリアリソース指示情報を搬送するために使用される時間周波数リソースは、再割り振りされるのを禁止された時間周波数リソースである請求項１８または１９に記載の方法。
【請求項２１】
前記第１の指示シグナリングは、無線リソース制御ＲＲＣシグナリングを使用することによって搬送される請求項２または１２に記載の方法。
【請求項２２】
前記第２の指示シグナリングは、無線リソース制御ＲＲＣシグナリングを使用することによって搬送される請求項３、１３、または２１のいずれか一項に記載の方法。
【請求項２３】
ネットワークデバイスであって、
物理ダウンリンク制御チャネルＰＤＣＣＨを送るように構成された送信機であって、前記ＰＤＣＣＨは、前記ネットワークデバイスによってスケジュールされた１つまたは複数の時間周波数リソースを示す、送信機と、
前記時間周波数リソースのうちの少なくとも１つを再割り振りするように構成されたプロセッサと
を備え、
前記送信機は、少なくとも１つのポステリアリソース指示情報を送るようにさらに構成され、前記少なくとも１つのポステリアリソース指示情報は、前記時間周波数リソース中の前記再割り振りされた時間周波数リソースを示す、
ネットワークデバイス。
【請求項２４】
前記送信機は、
端末デバイスに第１の指示シグナリングを送ることであって、前記第１の指示シグナリングが、再割り振りされ得る少なくとも１つの周波数領域リソースを示す、送ること
を行うようにさらに構成された請求項２３に記載のネットワークデバイス。
【請求項２５】
前記送信機は、
前記端末デバイスに第２の指示シグナリングを送ることであって、前記第２の指示シグナリングが、前記端末デバイスが前記少なくとも１つのポステリアリソース指示情報を受信する必要があるかどうかを示す、送ること
を行うようにさらに構成された請求項２３または２４に記載のネットワークデバイス。
【請求項２６】
前記時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つのシンボルを備える請求項２３乃至２５のいずれか一項に記載のネットワークデバイス。
【請求項２７】
前記少なくとも１つのポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，Ｘ］であり、Ｘは共通ポステリアリソース指示情報の量である請求項２６に記載のネットワークデバイス。
【請求項２８】
各共通ポステリアリソース指示情報は、時間領域中の前記対応する時間領域スケジューリングユニット中の最後のＭ個のシンボル上で搬送され、Ｍ≧１である請求項２７に記載のネットワークデバイス。
【請求項２９】
前記少なくとも１つのポステリアリソース指示情報は、少なくとも１つの専用ポステリアリソース指示情報を備え、前記少なくとも１つの専用ポステリアリソース指示情報は、少なくとも１つの端末デバイスとの１対１の対応にあり、前記少なくとも１つの端末デバイスは、前記ＰＤＣＣＨによってスケジュールされた端末デバイスに属し、前記少なくとも１つの専用ポステリアリソース指示情報中のＪ番目の専用ポステリアリソース指示情報は、前記Ｊ番目の専用ポステリアリソース指示情報に対応する端末デバイスに割り振られた時間周波数リソース中の少なくとも１つの再割り振りされた時間周波数リソースを示し、Ｊ∈［１，Ｙ］であり、Ｙは端末デバイスの量である請求項２３乃至２６のいずれか一項に記載のネットワークデバイス。
【請求項３０】
各専用ポステリアリソース指示情報は、対応する端末デバイスに割り振られ前記ＰＤＣＣＨによって示される最後のＮ個のシンボル上で搬送され、Ｎ≧１である請求項２９に記載のネットワークデバイス。
【請求項３１】
ネットワークデバイスによって送られた第１の物理ダウンリンク制御チャネルＰＤＣＣＨを受信するように構成された受信機であって、前記第１のＰＤＣＣＨは、前記端末デバイスのために前記ネットワークデバイスによってスケジュールされた１つまたは複数の第１の時間周波数リソースを示し、
前記受信機は、前記ネットワークデバイスによって送られた少なくとも１つの第１のポステリアリソース指示情報を受信するようにさらに構成され、前記少なくとも１つの第１のポステリアリソース指示情報は、前記第１の時間周波数リソース中の少なくとも１つの再割り振りされた時間周波数リソースを示す、受信機と、
前記ネットワークデバイスによって前記端末デバイスに送られたダウンリンクデータを受信するように前記受信機を、前記ＰＤＣＣＨおよび前記少なくとも１つの第１のポステリアリソース指示情報に基づいて制御するように構成されたプロセッサと
を備える、端末デバイス。
【請求項３２】
前記受信機は、
前記ネットワークデバイスによって送られた第１の指示シグナリングを受信することであって、前記第１の指示シグナリングが、再割り振りされ得る周波数領域リソースを示す、受信すること
を行うようにさらに構成された請求項３１に記載の端末デバイス。
【請求項３３】
前記受信機は、
前記ネットワークデバイスによって送られた第２の指示シグナリングを受信する
ようにさらに構成され、
前記プロセッサは、
前記受信機が前記少なくとも１つの第１のポステリアリソース指示情報を受信する必要があると、前記第２の指示シグナリングに基づいて判定する
ように特に構成された請求項３１または３２に記載の端末デバイス。
【請求項３４】
前記第１の時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つのＯＦＤＭシンボルを備える請求項３１乃至３３のいずれか一項に記載の端末デバイス。
【請求項３５】
前記少なくとも１つの第１のポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の少なくとも１つの再割り振りされた時間周波数リソースを示し、Ｉ∈［１，ｘ］であり、ｘは共通ポステリアリソース指示情報の量である請求項３４に記載の端末デバイス。
【請求項３６】
各共通ポステリアリソース指示情報は、時間領域中の前記対応する時間領域スケジューリングユニット中の最後のＭ個のシンボル上で搬送され、Ｍ≧１である請求項３５に記載の端末デバイス。
【請求項３７】
前記第１のポステリアリソース指示情報は、特に第１の専用ポステリアリソース指示情報であり、前記第１の専用ポステリアリソース指示情報は、前記第１の時間周波数リソース中の前記再割り振りされた時間周波数リソースを示し、
前記プロセッサは、
前記再割り振りされた時間周波数リソース上で搬送されるデータを、前記ＰＤＣＣＨおよび前記第１の専用ポステリアリソース指示情報に基づいて復調または復号することをスキップする
ように特に構成された請求項３１乃至３４のいずれか一項に記載の端末デバイス。
【請求項３８】
前記第１の専用ポステリアリソース指示情報は、前記端末デバイスに割り振られ前記ＰＤＣＣＨによって示される最後のＮ個のシンボル上で搬送され、Ｎ≧１である請求項３７に記載の端末デバイス。
【請求項３９】
前記第１の指示シグナリングは、無線リソース制御ＲＲＣシグナリングを使用することによって搬送される請求項２４に記載のネットワークデバイスまたは請求項３２に記載の端末デバイス。
【請求項４０】
前記第２の指示シグナリングは、無線リソース制御ＲＲＣシグナリングを使用することによって搬送される請求項２５もしくは３９に記載のネットワークデバイスまたは請求項３３もしくは３９に記載の端末デバイス。
【請求項４１】
コンピュータプログラムまたは命令を記憶するように構成されたコンピュータ可読記憶媒体であって、前記コンピュータプログラムまたは命令がプロセッサによって実行されたとき、請求項１乃至２２のいずれか一項に記載の方法が実装される、コンピュータ可読記憶媒体。
【請求項４２】
プロセッサおよびメモリを備える装置であって、前記メモリはコンピュータプログラムまたは命令を記憶し、前記プロセッサが前記コンピュータプログラムを実行したとき、請求項１乃至２２のいずれか一項に記載の方法が実装される、装置。
【請求項４３】
コンピュータプログラムであって、前記コンピュータプログラムがプロセッサによって実行されたとき、請求項１乃至２２のいずれか一項に記載の方法が実装される、コンピュータプログラム。
【発明の詳細な説明】
【技術分野】
【０００１】
本出願の実施形態は、通信分野に関し、より詳細には、ワイヤレス通信方法、ネットワークデバイス、および端末デバイスに関する。
【背景技術】
【０００２】
本出願は、それの全体が参照により本明細書に組み込まれる、２０１６年９月３０日に中国特許庁で出願された「ＷＩＲＥＬＥＳＳ  ＣＯＭＭＵＮＩＣＡＴＩＯＮ  ＭＥＴＨＯＤ  ＡＮＤ  ＤＥＶＩＣＥ」と題する中国特許出願第２０１６１０８７７８７７．８号明細書の優先権を主張する。
【０００３】
現在、将来の通信システムのための国際電気通信連合（Ｉｎｔｅｒｎａｔｉｏｎａｌ  Ｔｅｌｅｃｏｍｍｕｎｉｃａｔｉｏｎ  Ｕｎｉｏｎ、ＩＴＵ）の要件によれば、将来の通信システム中のエアインターフェースは、様々なサービス、たとえば、拡張モバイルブロードバンド（Ｅｎｈａｎｃｅｄ  Ｍｏｂｉｌｅ  Ｂｒｏａｄｂａｎｄ、ｅＭＢＢ）サービス、超高信頼および低レイテンシ通信（Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）サービス、および大量マシンタイプ通信（Ｍａｓｓｉｖｅ  ｍａｃｈｉｎｅ−ｔｙｐｅ  ｃｏｍｍｕｎｉｃａｔｉｏｎ、Ｍａｓｓｉｖｅ  ＭＴＣ）サービスをサポートする必要がある。
【０００４】
上記の異なるサービスは、通信システムのために異なる要件を有する。いくつかのサービスは比較的高い遅延要件を有し、いくつかのサービスは比較的低い遅延要件を有する。従来技術では、ロングタームエボリューション（Ｌｏｎｇ  Ｔｅｒｍ  Ｅｖｏｌｕｔｉｏｎ、ＬＴＥ）システム中のネットワークデバイスは、ダウンリンク制御チャネルによって示される１つまたは複数の時間周波数リソース上で端末デバイスの現在のサービスのダウンリンクメッセージを受信するように端末デバイスをスケジュールするために、端末デバイスにダウンリンク制御チャネルを送り得る。
【０００５】
比較的高い遅延要件をもつサービスの送信要件を満たすために、以下の解決策が考慮され得る。メッセージを受信するように、現在のサービスが比較的低い遅延要件を有する端末デバイスをネットワークデバイスがスケジュールした後に、ネットワークデバイスは、サービスが比較的低い遅延要件を有する端末デバイスにダウンリンク制御チャネルに基づいて割り振られた１つまたは複数の時間周波数リソースを、サービスが比較的高い遅延要件を有する端末デバイスに割り振る。
【０００６】
しかしながら、この解決策では、サービスが比較的低い遅延要件を有する端末デバイスは、再割り振りされた時間周波数リソース上でデータを依然として受信し（たとえば、再割り振りされた時間周波数リソース上でデータを復調または復号し）、それによって性能損失を引き起こす。
【発明の概要】
【発明が解決しようとする課題】
【０００７】
本出願の実施形態は、リソース再割振りによって引き起こされる端末デバイスの受信性能損失を低減するための、ワイヤレス通信方法、ネットワークデバイス、および端末デバイスを提供する。
【課題を解決するための手段】
【０００８】
第１の態様によれば、ワイヤレス通信方法が提供される。本方法は、ネットワークデバイスによって物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を送るステップであって、ＰＤＣＣＨは、ネットワークデバイスによってスケジュールされた１つまたは複数の時間周波数リソースを示す、ステップと、ネットワークデバイスによって時間周波数リソースのうちの少なくとも１つを再割り振りするステップと、ネットワークデバイスによって少なくとも１つのポステリアリソース指示情報を送るステップであって、少なくとも１つのポステリアリソース指示情報は、時間周波数リソースのうちの再割り振りされた少なくとも１つを示す、ステップとを含む。
【０００９】
ネットワークデバイスは、現在のスケジューリング期間中にスケジュールされた各端末デバイスに物理ダウンリンク制御チャネルＰＤＣＣＨを送ることがあり、ＰＤＣＣＨは、現在のスケジューリング期間中にスケジュールされた各端末デバイスに割り振られた１つまたは複数の時間周波数リソースを搬送し得る。ネットワークデバイスは、現在のスケジューリング期間中にスケジュールされた端末デバイスのうちの一部または全部に少なくとも１つのポステリアリソース指示情報を送ることによって、ＰＤＣＣＨによってスケジュールされた時間周波数リソース中の少なくとも１つの再割り振りされた時間周波数リソースを示し得る。次いで、ＰＤＣＣＨおよび少なくとも１つのポステリアリソース指示情報に基づいて、端末デバイスは、現在のスケジューリング期間中にネットワークデバイスによって端末デバイスに割り振られた時間周波数リソース中に少なくとも１つの再割り振りされた時間周波数リソースがあるかどうかを判定し、現在のスケジューリング期間中に端末デバイスに割り振られた時間周波数リソース中の少なくとも１つの再割り振りされた時間周波数リソースを判定し得る。このようにして、端末デバイスは、端末デバイスに割り振られた時間周波数リソース中の再割り振りされない少なくとも１つの時間周波数リソース上で搬送されるデータのみを受信し（たとえば、復号または復調し）得、端末デバイスに割り振られた時間周波数リソース中の再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【００１０】
可能な実装では、時間周波数リソースは、時間領域中の少なくとも１つの時間領域スケジューリングユニットに対応し、各時間領域スケジューリングユニットは少なくとも１つのミニスロットを含むか、または各時間領域スケジューリングユニットは少なくとも１つのシンボルを含む。
【００１１】
時間領域スケジューリングユニットは、規格において指定され得る。代替として、時間領域スケジューリングユニットは、システムメッセージ、ブロードキャストメッセージ、または上位レイヤシグナリングを使用することによってネットワークデバイスによって構成され得る。
【００１２】
任意選択で、シンボルは直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであり得るか、またはシングルキャリア周波数分割多元接続（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）シンボルであり得る。
【００１３】
可能な実装では、少なくとも１つのポステリアリソース指示情報は、少なくとも１つの共通ポステリアリソース指示情報を含み、少なくとも１つの時間領域スケジューリングユニットは、少なくとも１つの共通ポステリアリソース指示情報との１対１の対応にあり、少なくとも１つの共通ポステリアリソース指示情報中のＩ番目の共通ポステリアリソース指示情報は、Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の少なくとも１つの再割り振りされた時間周波数リソースを示し、Ｉ∈［１，Ｘ］であり、Ｘは共通ポステリアリソース指示情報の量である。
【００１４】
いくつかの端末デバイスは、それの使用された時間周波数リソースが再割り振りされ得る端末デバイスであり得る。
【００１５】
本出願のこの実施形態では、現在のスケジューリング期間中にスケジュールされたすべての端末デバイスは、少なくとも１つのポステリアリソース指示情報を受信し得るか、または現在のスケジューリング期間中にスケジュールされたすべての端末デバイス中にあり、それの時間周波数リソースが再割り振りされ得る端末デバイスのみが、少なくとも１つのポステリアリソース指示情報を受信する。
【００１６】
本出願のこの実施形態におけるワイヤレス通信方法では、端末デバイスに割り振られた１つまたは複数の時間周波数リソースが属する時間領域スケジューリングユニットに対応する共通ポステリアリソース指示情報を検出することによって、端末デバイスは、端末デバイスに割り振られた時間周波数リソース中に少なくとも１つの再割り振りされた時間周波数リソースがあるかどうかを判定し、端末デバイスに割り振られた時間周波数リソース中の少なくとも１つの再割り振りされた時間周波数リソースを判定し得る。このようにして、端末デバイスは、端末デバイスに割り振られた時間周波数リソース中の再割り振りされない少なくとも１つの時間周波数リソース上で搬送されるデータのみを受信し（たとえば、復号または復調し）得、端末デバイスに割り振られた時間周波数リソース中の少なくとも１つの再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【００１７】
可能な実装では、各共通ポステリアリソース指示情報によって占有されるリソース要素（Ｒｅｓｏｕｒｃｅ  Ｅｌｅｍｅｎｔ、ＲＥ）の量は固定である。言い換えれば、符号化レートが固定である。
【００１８】
可能な実装では、各共通ポステリアリソース指示情報は、周波数領域中の時間周波数リソースの周波数帯域全体において一様に分配される。
【００１９】
可能な実装では、各時間領域スケジューリングユニットは共通時間周波数リソースを含み、ｉ番目の時間領域スケジューリングユニット中の共通時間周波数リソースは、ｉ番目の時間領域スケジューリングユニット中でスケジュールされた端末デバイスのうちの一部または全部によって受信され、ｉ∈［１，Ｎ］であり、Ｎは、時間領域中の時間周波数リソース中に含まれる時間領域スケジューリングユニットの量である。
【００２０】
可能な実装では、各時間領域スケジューリングユニットは、周波数領域中のｑ個の周波数帯域に対応し、各共通ポステリアリソース指示情報はｑ個のビットグループを含み、ｑ個の周波数帯域は、ｑ個のビットグループとの１対１の対応にあり、各ビットグループはｋ−ｙビットを含む。周波数帯域Ｆｊに対応するビットグループＺｊについて、ビットグループＺｊ中のｋ−ｙビットは、周波数帯域Ｆｊに対応するｋ−ｙ個のミニスロットまたはシンボルとの１対１の対応にある。ビットグループＺｊ中のビットのビット値は、周波数帯域Ｆｊに対応する時間領域スケジューリングユニット中の最後のｋ−ｙ個のミニスロットまたは最後のｋ−ｙ個のシンボルが再割り振りされるかどうかを示すために使用され、ｋ≧１、ｑ≧１、ｋ＞ｙ≧０、ｊ∈［１，ｋ］であり、ｋは、時間領域スケジューリングユニット中に含まれるミニスロットまたはシンボルの量である。
【００２１】
可能な実装では、各共通ポステリアリソース指示情報は、時間領域中の対応する時間領域スケジューリングユニット中の最後のＭ個のシンボル上で搬送され、Ｍ≧１である。
【００２２】
可能な実装では、少なくとも１つのポステリアリソース指示情報を搬送するために使用される時間周波数リソースは、システムによって指定された予約済みリソースである。
【００２３】
可能な実装では、少なくとも１つのポステリアリソース指示情報は、少なくとも１つの専用ポステリアリソース指示情報を含み、少なくとも１つの専用ポステリアリソース指示情報は、少なくとも１つの端末デバイスとの１対１の対応にあり、少なくとも１つの端末デバイスは、ＰＤＣＣＨによってスケジュールされた端末デバイスに属し、少なくとも１つの専用ポステリアリソース指示情報中のＪ番目の専用ポステリアリソース指示情報は、Ｊ番目の専用ポステリアリソース指示情報に対応する端末デバイスに割り振られた時間周波数リソース中の少なくとも１つの再割り振りされた時間周波数リソースを示し、Ｊ∈［１，Ｙ］であり、Ｙは端末デバイスの量である。
【００２４】
任意選択で、Ｊ番目の専用ポステリアリソース指示情報によって占有されるリソース要素（Ｒｅｓｏｕｒｃｅ  Ｅｌｅｍｅｎｔ、ＲＥ）の量は固定である。
【００２５】
任意選択で、ｊ番目の専用ポステリアリソース指示情報は、周波数領域中の時間周波数リソースの周波数帯域全体において一様に分配される。
【００２６】
本出願のこの実施形態におけるワイヤレス通信方法では、端末デバイスの専用ポステリアリソース指示情報を検出することによって、ＰＤＣＣＨによって示されるそれの時間周波数リソースが少なくとも１つの再割り振りされた時間周波数リソースを含む端末デバイスは、端末デバイスに割り振られた時間周波数リソース中に少なくとも１つの再割り振りされた時間周波数リソースがあるかどうかを判定し、端末デバイスに割り振られた時間周波数リソース中の少なくとも１つの再割り振りされた時間周波数リソースを判定し得る。このようにして、端末デバイスは、再割り振りされない少なくとも１つの時間周波数リソース上で搬送されるデータのみを受信し（たとえば、復号または復調し）得、少なくとも１つの再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【００２７】
可能な実装では、各専用ポステリアリソース指示情報は、対応する端末デバイスに割り振られＰＤＣＣＨによって示される最後のＮ個のシンボル上で搬送され、Ｎ≧１である。
【００２８】
可能な実装では、少なくとも１つのポステリアリソース指示情報を搬送するために使用される時間周波数リソースは、再割り振りされるのを禁止された時間周波数リソースである。
【００２９】
可能な実装では、少なくとも１つのポステリアリソース指示情報は、少なくとも１つの専用ポステリアリソース指示情報を含み、少なくとも１つの専用ポステリアリソース指示情報は、少なくとも１つの端末デバイスとの１対１の対応にあり、少なくとも１つの端末デバイスは、ＰＤＣＣＨによってスケジュールされた端末デバイスに属し、少なくとも１つの専用ポステリアリソース指示情報中のＪ番目の専用ポステリアリソース指示情報は、Ｊ番目の専用ポステリアリソース指示情報に対応する端末デバイスに割り振られた時間周波数リソース中の再割り振りされた時間周波数リソースを示し、Ｊ∈［１，Ｙ］であり、Ｙは端末デバイスの量である。
【００３０】
可能な実装では、Ｊ番目の専用ポステリアリソース指示情報に対応する端末デバイスに割り振られた時間周波数リソースは、周波数領域中のｚ個の周波数帯域に対応し、Ｊ番目の専用ポステリアリソース指示情報はｚ個のビットグループを含み、ｚ個の周波数帯域は、ｚ個のビットグループとの１対１の対応にあり、各ビットグループはｐ−ｓビットを含む。周波数帯域Ｄｒに対応するビットグループＵｒについて、ビットグループＵｒ中のｐ−ｓビットは、周波数帯域Ｄｒに対応するｐ−ｓ個のミニスロットまたはシンボルとの１対１の対応にある。ビットグループＵｒ中のビットのビット値は、Ｊ番目の専用ポステリアリソース指示情報に対応する端末デバイスに割り振られ周波数帯域Ｄｒに対応する時間周波数リソースの時間領域中の最後のｐ−ｓ個のミニスロットまたはシンボルが、再割り振りされるかどうかを示すために使用され、ｓ≧０、ｐ≧１、ｚ≧１、ｐ＞ｓ、ｒ∈［１，ｐ］であり、ｐは、Ｊ番目の専用ポステリアリソース指示情報に対応する端末デバイスに割り振られた時間周波数リソース中の、時間領域において含まれるミニスロットまたはシンボルの量である。
【００３１】
可能な実装では、ネットワークデバイスによって少なくとも１つのポステリアリソース指示情報を送るステップは、ｊ番目の専用ポステリアリソース指示情報に対応する端末デバイスに割り振られた時間周波数リソースを使用することによってネットワークデバイスによって、Ｊ番目の専用ポステリアリソース指示情報に対応する端末デバイスにＪ番目の専用ポステリアリソース指示情報を送るステップを含む。
【００３２】
可能な実装では、各専用ポステリアリソース指示情報によって占有されるＲＥの量は固定でない。
【００３３】
可能な実装では、ｊ番目の専用ポステリアリソース指示情報に対応する端末デバイスに割り振られた時間周波数リソース中に含まれる帯域幅がｇ個のサブキャリアよりも少ないとき、ｊ番目の専用ポステリアリソース指示情報は、ｊ番目の専用ポステリアリソース指示情報に対応する端末デバイスに割り振られた時間周波数リソース中に含まれる帯域幅中の最後の２つのシンボルを占有し、ｇ≧１である。
【００３４】
可能な実装では、Ｊ番目の専用ポステリアリソース指示情報に対応する端末デバイスに割り振られた時間周波数リソース中に含まれる帯域幅中の最後のシンボルから最後から２番目のシンボルへの方向に従って、Ｊ番目の専用ポステリアリソース指示情報は、時間周波数リソース中に含まれる帯域幅中の最後のシンボル上で最小シリアル番号をもつサブキャリアから最大シリアル番号をもつサブキャリアへの方向に配置されるか、またはＪ番目の専用ポステリアリソース指示情報は、時間周波数リソース中に含まれる帯域幅中の最後のシンボル上で最大シリアル番号をもつサブキャリアから最小シリアル番号をもつサブキャリアへの方向に配置される。
【００３５】
可能な実装では、ネットワークデバイスによって物理ダウンリンク制御チャネルを送るステップの前に、本方法は、ネットワークデバイスによって指示シグナリングを送るステップをさらに含み、指示シグナリングは、時間周波数リソース中で再割り振りされ得る少なくとも１つの周波数領域リソースを示すか、または指示シグナリングは、端末デバイスが少なくとも１つのポステリアリソース指示情報を受信する必要があるかどうかを示す。
【００３６】
可能な実装では、指示シグナリングはダウンリンクリソースブロック割振りフィールドを含み、ダウンリンクリソースブロック割振りフィールドは、再割り振りされ得る少なくとも１つのリソースブロックの開始ロケーションおよび終了ロケーションを示すか、またはダウンリンクリソースブロック割振りフィールドは、再割り振りされ得る少なくとも１つのリソースブロックの開始ロケーションおよび量を示す。
【００３７】
可能な実装では、ネットワークデバイスによって指示シグナリングを送るステップは、ネットワークデバイスによってシステム情報または無線リソース制御（Ｒａｄｉｏ  Ｒｅｓｏｕｒｃｅ  Ｃｏｎｔｒｏｌ、ＲＲＣ）レイヤシグナリングを送るステップを含み、システム情報が指示シグナリングを搬送するか、またはＲＲＣレイヤシグナリングが指示シグナリングを搬送する。
【００３８】
可能な実装では、指示シグナリングは、キャリアのすべての周波数領域リソースが再割り振りされ得るかどうかを示す。
【００３９】
任意選択で、指示シグナリングは第１のビットを含み、第１のビットは、キャリアのすべての周波数領域リソースが再割り振りされ得るかどうかを示す。
【００４０】
可能な実装では、ネットワークデバイスによって指示シグナリングを送るステップは、ネットワークデバイスによってシステム情報またはブロードキャストチャネルを送るステップを含み、システム情報が指示シグナリングを搬送するか、またはブロードキャストチャネルが指示シグナリングを搬送する。
【００４１】
可能な実装では、指示シグナリングは、端末デバイスが少なくとも１つのポステリアリソース指示情報を受信する必要があるかどうかを示し、ネットワークデバイスによって少なくとも１つのポステリアリソース指示情報を送るステップは、少なくとも１つのポステリアリソース指示情報を受信することを、指示シグナリングに基づいて端末デバイスが判定したとき、ネットワークデバイスによって少なくとも１つのポステリアリソース指示情報を送るステップを含む。
【００４２】
可能な実装では、ＰＤＣＣＨは、端末デバイスが少なくとも１つのポステリアリソース指示情報を受信する必要があるかどうかを示すためにさらに使用され、ネットワークデバイスによって少なくとも１つのポステリアリソース指示情報を送るステップの前に、本方法は、少なくとも１つのポステリアリソース指示情報を受信することを、ＰＤＣＣＨに基づいて端末デバイスが判定したとき、ネットワークデバイスによって少なくとも１つのポステリアリソース指示情報を送るステップを含む。
【００４３】
第２の態様によれば、ワイヤレス通信方法が提供される。本方法は、ネットワークデバイスによって送られた第１の物理ダウンリンク制御チャネルＰＤＣＣＨを端末デバイスによって受信するステップであって、第１のＰＤＣＣＨは、端末デバイスのためにネットワークデバイスによってスケジュールされた１つまたは複数の第１の時間周波数リソースを示す、ステップと、ネットワークデバイスによって送られた少なくとも１つの第１のポステリアリソース指示情報を端末デバイスによって受信するステップであって、少なくとも１つの第１のポステリアリソース指示情報は、第１の時間周波数リソース中の少なくとも１つの再割り振りされた時間周波数リソースを示す、ステップと、ネットワークデバイスによって端末デバイスに送られたダウンリンクデータを、ＰＤＣＣＨおよび少なくとも１つの第１のポステリアリソース指示情報に基づいて端末デバイスによって受信するステップとを含む。
【００４４】
本出願のこの実施形態では、端末デバイスは、それの使用された時間周波数リソースが再割り振りされ得る端末デバイスであり得る。
【００４５】
端末デバイスのいずれか１つについて、端末デバイスは、端末デバイスのためでありネットワークデバイスによって送られたＰＤＣＣＨ中にある（第１のＰＤＣＣＨと呼ばれる）ＰＤＣＣＨを受信することによって、端末デバイスに割り振られた１つまたは複数の時間周波数リソース（すなわち、第１の時間周波数リソース）を判定し得る。ネットワークデバイスによって送られた第１のＰＤＣＣＨおよび少なくとも１つの第１のポステリアリソース指示情報に基づいて、端末デバイスは、第１の時間周波数リソース中に少なくとも１つの再割り振りされた時間周波数リソースがあるかどうかを判定し、第１の時間周波数リソース中の再割り振りされた時間周波数リソースを判定し得る。このようにして、端末デバイスは、再割り振りされない少なくとも１つの時間周波数リソース上で搬送されるデータのみを受信し（たとえば、復号または復調し）得、再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【００４６】
可能な実装では、第１の時間周波数リソースは、時間領域中の少なくとも１つの時間領域スケジューリングユニットに対応し、各時間領域スケジューリングユニットは少なくとも１つのミニスロットを含むか、または各時間領域スケジューリングユニットは少なくとも１つのシンボルを含む。
【００４７】
時間領域スケジューリングユニットは、規格において指定され得る。代替として、時間領域スケジューリングユニットは、システムメッセージ、ブロードキャストメッセージ、または上位レイヤシグナリングを使用することによってネットワークデバイスによって構成され得る。
【００４８】
任意選択で、シンボルはＯＦＤＭシンボルであり得るか、またはＳＣ−ＦＤＭＡシンボルであり得る。
【００４９】
可能な実装では、少なくとも１つの第１のポステリアリソース指示情報は、少なくとも１つの共通ポステリアリソース指示情報を含み、少なくとも１つの時間領域スケジューリングユニットは、少なくとも１つの共通ポステリアリソース指示情報との１対１の対応にあり、少なくとも１つの共通ポステリアリソース指示情報中のＩ番目の共通ポステリアリソース指示情報は、Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，ｘ］であり、ｘは共通ポステリアリソース指示情報の量である。
【００５０】
本出願のこの実施形態におけるワイヤレス通信方法では、第１の時間周波数リソースが属する時間領域スケジューリングユニットに対応する共通ポステリアリソース指示情報を検出することによって、端末デバイスは、第１の時間周波数リソース中に少なくとも１つの再割り振りされた時間周波数リソースがあるかどうかを判定し、第１の時間周波数リソース中の再割り振りされた時間周波数リソースを判定し得る。このようにして、端末デバイスは、再割り振りされない時間周波数リソース上で搬送されるデータのみを受信し（たとえば、復号または復調し）得、再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【００５１】
可能な実装では、各共通ポステリアリソース指示情報によって占有されるリソース要素（Ｒｅｓｏｕｒｃｅ  Ｅｌｅｍｅｎｔ、ＲＥ）の量は固定である。言い換えれば、符号化レートが固定である。
【００５２】
可能な実装では、各共通ポステリアリソース指示情報は、周波数領域中の時間周波数リソースの周波数帯域全体において一様に分配される。
【００５３】
可能な実装では、各時間領域スケジューリングユニットは共通時間周波数リソースを含み、ｉ番目の時間領域スケジューリングユニット中の共通時間周波数リソースは、ｉ番目の時間領域スケジューリングユニット中でスケジュールされた端末デバイスのうちの一部または全部によって受信され、ｉ∈［１，Ｎ］であり、Ｎは、時間領域中の時間周波数リソース中に含まれる時間領域スケジューリングユニットの量である。
【００５４】
可能な実装では、各時間領域スケジューリングユニットは、周波数領域中のｑ個の周波数帯域に対応し、各共通ポステリアリソース指示情報はｑ個のビットグループを含み、ｑ個の周波数帯域は、ｑ個のビットグループとの１対１の対応にあり、各ビットグループはｋ−ｙビットを含む。周波数帯域Ｆｊに対応するビットグループＺｊについて、ビットグループＺｊ中のｋ−ｙビットは、周波数帯域Ｆｊに対応するｋ−ｙ個のミニスロットまたはシンボルとの１対１の対応にある。ビットグループＺｊ中のビットのビット値は、周波数帯域Ｆｊに対応する時間領域スケジューリングユニット中の最後のｋ−ｙ個のミニスロットまたは最後のｋ−ｙ個のシンボルが再割り振りされるかどうかを示すために使用され、ｋ≧１、ｑ≧１、ｋ＞ｙ≧０、ｊ∈［１，ｋ］であり、ｋは、時間領域スケジューリングユニット中に含まれるミニスロットまたはシンボルの量である。
【００５５】
可能な実装では、各共通ポステリアリソース指示情報は、時間領域中の対応する時間領域スケジューリングユニット中の最後のＭ個のシンボル上で搬送され、Ｍ≧１である。
【００５６】
可能な実装では、少なくとも１つの第１のポステリアリソース指示情報を搬送するために使用される時間周波数リソースは、システムによって指定された予約済みリソースである。
【００５７】
可能な実装では、第１のポステリアリソース指示情報は、特に第１の専用ポステリアリソース指示情報であり、第１の専用ポステリアリソース指示情報は、端末デバイスに割り振られた時間周波数リソース中の再割り振りされた時間周波数リソースを示し、ネットワークデバイスによって端末デバイスに送られたダウンリンクデータを、ＰＤＣＣＨおよび少なくとも１つの第１のポステリアリソース指示情報に基づいて端末デバイスによって受信するステップは、再割り振りされた時間周波数リソース上で搬送されるデータを、ＰＤＣＣＨおよび第１の専用ポステリアリソース指示情報に基づいて端末デバイスによって復調または復号することをスキップするステップを含む。
【００５８】
任意選択で、第１の専用ポステリアリソース指示情報によって占有されるリソース要素（Ｒｅｓｏｕｒｃｅ  Ｅｌｅｍｅｎｔ、ＲＥ）の量は固定である。
【００５９】
任意選択で、第１の専用ポステリアリソース指示情報は、周波数領域中の時間周波数リソースの周波数帯域全体において一様に分配される。
【００６０】
本出願のこの実施形態におけるワイヤレス通信方法では、第１の専用ポステリアリソース指示情報を検出することによって、端末デバイスは、第１の時間周波数リソース中に少なくとも１つの再割り振りされた時間周波数リソースがあるかどうかを判定し、第１の時間周波数リソース中の再割り振りされた時間周波数リソースを判定し得る。このようにして、端末デバイスは、再割り振りされない少なくとも１つの時間周波数リソース上で搬送されるデータのみを受信し（たとえば、復号または復調し）得、再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【００６１】
可能な実装では、第１の専用ポステリアリソース指示情報は、第１の時間周波数リソースの最後のＮ個のシンボル上で搬送され、Ｎ≧１である。
【００６２】
可能な実装では、第１の専用ポステリアリソース指示情報を搬送するために使用される時間周波数リソースは、再割り振りされるのを禁止された時間周波数リソースである。
【００６３】
可能な実装では、第１の時間周波数リソースは、周波数領域中のｚ個の周波数帯域に対応し、第１の専用ポステリアリソース指示情報はｚ個のビットグループを含み、ｚ個の周波数帯域は、ｚ個のビットグループとの１対１の対応にあり、各ビットグループはｐ−ｓビットを含む。周波数帯域Ｄｒに対応するビットグループＵｒについて、ビットグループＵｒ中のｐ−ｓビットは、周波数帯域Ｄｒに対応するｐ−ｓ個のミニスロットまたはシンボルとの１対１の対応にある。ビットグループＵｒ中のビットのビット値は、周波数帯域Ｄｒに対応する第１の時間周波数リソースの時間領域中の最後のｐ−ｓ個のミニスロットまたはシンボルが、再割り振りされるかどうかを示すために使用され、ｓ≧０、ｐ≧１、ｚ≧１、ｐ＞ｓ、ｒ∈［１，ｐ］であり、ｐは、時間領域中の第１の時間周波数リソース中に含まれるミニスロットまたはシンボルの量である。
【００６４】
可能な実装では、第１の専用ポステリアリソース指示情報によって占有されるＲＥの量は固定でない。
【００６５】
可能な実装では、第１の時間周波数リソース中に含まれる帯域幅がｇ個のサブキャリアよりも少ないとき、第１の専用ポステリアリソース指示情報は、第１の時間周波数リソース中に含まれる帯域幅中の最後の２つのシンボルを占有し、ｇ≧１である。
【００６６】
可能な実装では、第１の時間周波数リソース中に含まれる帯域幅中の最後のシンボルから最後から２番目のシンボルへの方向に従って、第１の専用ポステリアリソース指示情報は、第１の時間周波数リソース中に含まれる帯域幅中の最後のシンボル上で最小シリアル番号をもつサブキャリアから最大シリアル番号をもつサブキャリアへの方向に配置されるか、または第１の専用ポステリアリソース指示情報は、第１の時間周波数リソース中に含まれる帯域幅中の最後のシンボル上で最大シリアル番号をもつサブキャリアから最小シリアル番号をもつサブキャリアへの方向に配置される。
【００６７】
可能な実装では、端末デバイスが第１のＰＤＣＣＨを受信する前に、本方法は、ネットワークデバイスによって送られた指示シグナリングを端末デバイスによって受信するステップをさらに含み、指示シグナリングは、再割り振りされ得る少なくとも１つの周波数領域リソースを示すか、または指示シグナリングは、端末デバイスが少なくとも１つの第１のポステリアリソース指示情報を受信する必要があるかどうかを示す。
【００６８】
可能な実装では、指示シグナリングはダウンリンクリソースブロック割振りフィールドを含み、ダウンリンクリソースブロック割振りフィールドは、再割り振りされ得る少なくとも１つのリソースブロックの開始ロケーションおよび終了ロケーションを示すか、またはダウンリンクリソースブロック割振りフィールドは、再割り振りされ得る少なくとも１つのリソースブロックの開始ロケーションおよび量を示す。
【００６９】
可能な実装では、ネットワークデバイスによって送られた指示シグナリングを端末デバイスによって受信するステップは、ネットワークデバイスによって送られたシステム情報またはＲＲＣレイヤシグナリングを端末デバイスによって受信するステップを含み、システム情報が指示シグナリングを搬送するか、またはＲＲＣレイヤシグナリングが指示シグナリングを搬送する。
【００７０】
可能な実装では、指示シグナリングは、キャリアのすべての周波数領域リソースが再割り振りされ得るかどうかを示す。
【００７１】
任意選択で、指示シグナリングは第１のビットを含み、第１のビットは、キャリアのすべての周波数領域リソースが再割り振りされ得るかどうかを示す。
【００７２】
可能な実装では、ネットワークデバイスによって送られた指示シグナリングを端末デバイスによって受信するステップは、ネットワークデバイスによって送られたシステム情報またはブロードキャストチャネルを端末デバイスによって受信するステップを含み、システム情報が指示シグナリングを搬送するか、またはブロードキャストチャネルが指示シグナリングを搬送する。
【００７３】
可能な実装では、指示シグナリングは、端末デバイスが少なくとも１つの第１のポステリアリソース指示情報を受信する必要があるかどうかを示し、ネットワークデバイスによって送られた少なくとも１つの第１のポステリアリソース指示情報を端末デバイスによって受信するステップの前に、本方法は、少なくとも１つの第１のポステリアリソース指示情報を受信することを、指示シグナリングに基づいて端末デバイスによって判定するステップをさらに含む。
【００７４】
可能な実装では、第１のＰＤＣＣＨは、端末デバイスが少なくとも１つの第１のポステリアリソース指示情報を受信する必要があるかどうかを示すためにさらに使用され、ネットワークデバイスによって送られた少なくとも１つの第１のポステリアリソース指示情報を端末デバイスによって受信するステップの前に、本方法は、少なくとも１つの第１のポステリアリソース指示情報を受信することを、第１のＰＤＣＣＨに基づいて端末デバイスによって判定するステップをさらに含む。
【００７５】
第３の態様によれば、ネットワークデバイスが提供される。ネットワークデバイスは、物理ダウンリンク制御チャネルＰＤＣＣＨを送るように構成された送信ユニットであって、ＰＤＣＣＨは、ネットワークデバイスによってスケジュールされた１つまたは複数の時間周波数リソースを示す、送信ユニットと、時間周波数リソースのうちの少なくとも１つを再割り振りするように構成された処理ユニットとを含み、送信ユニットは、少なくとも１つのポステリアリソース指示情報を送るようにさらに構成され、少なくとも１つのポステリアリソース指示情報は、時間周波数リソース中の再割り振りされた時間周波数リソースを示す。
【００７６】
ネットワークデバイスは、第１の態様の方法または第１の態様のいずれかの可能な実装を実施するように構成される。特に、ネットワークデバイスは、第１の態様の方法または第１の態様のいずれかの可能な実装を実施するように構成されたユニットをさらに含む。
【００７７】
第４の態様によれば、端末デバイスが提供される。端末デバイスは、ネットワークデバイスによって送られた第１の物理ダウンリンク制御チャネルＰＤＣＣＨを受信するように構成された受信ユニットであって、第１のＰＤＣＣＨは、端末デバイスのためにネットワークデバイスによってスケジュールされた第１の時間周波数リソースを示し、受信ユニットは、ネットワークデバイスによって送られた少なくとも１つの第１のポステリアリソース指示情報を受信するようにさらに構成され、少なくとも１つの第１のポステリアリソース指示情報は、第１の時間周波数リソース中の再割り振りされた時間周波数リソースを示す、受信ユニットと、ネットワークデバイスによって端末デバイスに送られたダウンリンクデータを受信するように受信ユニットを、ＰＤＣＣＨおよび少なくとも１つの第１のポステリアリソース指示情報に基づいて制御するように構成された処理ユニットとを含む。
【００７８】
端末デバイスは、第２の態様の方法または第２の態様のいずれかの可能な実装を実施するように構成される。特に、端末デバイスは、第２の態様の方法または第２の態様のいずれかの可能な実装を実施するように構成されたユニットをさらに含む。
【００７９】
第５の態様によれば、ネットワークデバイスが提供され、ネットワークデバイスは、プロセッサ、メモリ、送信機、および受信機を含み、第１の態様の方法または第１の態様のいずれかの可能な実装を実装するように構成される。
【００８０】
第６の態様によれば、端末デバイスが提供され、端末デバイスは、プロセッサ、メモリ、送信機、および受信機を含み、第２の態様の方法または第２の態様のいずれかの可能な実装を実装するように構成される。
【００８１】
第７の態様によれば、本出願は、コンピュータプログラムを記憶するように構成されたコンピュータ可読媒体を提供し、コンピュータプログラムは、第１の態様の方法または第１の態様のいずれかの可能な実装を実施するための命令を含む。
【００８２】
第８の態様によれば、コンピュータ可読媒体が提供され、コンピュータプログラムを記憶するように構成される。コンピュータプログラムは、第２の態様の方法または第２の態様のいずれかの可能な実装を実施するための命令を含む。
【００８３】
第９の態様によれば、命令を含むコンピュータプログラム製品が提供される。コンピュータプログラム製品がコンピュータ上で動作したとき、コンピュータは、第１の態様の方法または第１の態様のいずれかの可能な実装を実施する。
【００８４】
第１０の態様によれば、命令を含むコンピュータプログラム製品が提供される。コンピュータプログラム製品がコンピュータ上で動作したとき、コンピュータは、第２の態様の方法または第２の態様のいずれかの可能な実装を実施する。
【図面の簡単な説明】
【００８５】
【図１】本出願の一実施形態による適用シナリオの概略図である。
【図２】本出願の一実施形態によるワイヤレス通信方法の概略フローチャートである。
【図３】本出願の一実施形態による、リソース再割振りがその上で実施される、１つまたは複数の時間周波数リソースの概略図である。
【図４】本出願の一実施形態による、リソース再割振りがその上で実施される、１つまたは複数の時間周波数リソースの概略図である。
【図５】本出願の一実施形態による、リソース再割振りがその上で実施される、１つまたは複数の時間周波数リソースの別の概略図である。
【図６】本出願の一実施形態による、リソース再割振りがその上で実施される、１つまたは複数の時間周波数リソースの別の概略図である。
【図７】本出願の一実施形態による、リソース再割振りがその上で実施される、１つまたは複数の時間周波数リソースのさらに別の概略図である。
【図８】本出願の一実施形態による、リソース再割振りがその上で実施される、１つまたは複数の時間周波数リソースのさらに別の概略図である。
【図９】本出願の一実施形態によるワイヤレス通信方法の概略フローチャートである。
【図１０】本出願の一実施形態によるワイヤレス通信方法の概略フローチャートである。
【図１１】本出願の一実施形態によるネットワークデバイスの概略ブロック図である。
【図１２】本出願の一実施形態によるネットワークデバイスの概略ブロック図である。
【図１３】本出願の一実施形態による端末デバイスの概略ブロック図である。
【図１４】本出願の一実施形態による端末デバイスの概略ブロック図である。
【発明を実施するための形態】
【００８６】
以下で、添付の図面を参照しながら、本出願における技術的解決策について説明する。
【００８７】
本出願の実施形態における端末デバイスは、音声および／もしくはデータ接続性をユーザに提供するデバイス、無線接続機能をもつハンドヘルドデバイス、またはワイヤレスモデムに接続された別の処理デバイスであり得る。ワイヤレス端末は、無線アクセスネットワーク（Ｒａｄｉｏ  Ａｃｃｅｓｓ  Ｎｅｔｗｏｒｋ、ＲＡＮ）を通して１つまたは複数のコアネットワークと通信し得る。ワイヤレス端末は、モバイルフォン（「セルラー」フォンとも呼ばれる）などのモバイル端末であることがあり、モバイル端末をもつコンピュータは、たとえば、無線アクセスネットワークと音声および／またはデータを交換する、ポータブル、ポケットサイズ、ハンドヘルド、コンピュータ内蔵、または車載モバイル装置であり得る。たとえば、ワイヤレス端末は、パーソナル通信サービス（Ｐｅｒｓｏｎａｌ  Ｃｏｍｍｕｎｉｃａｔｉｏｎｓ  Ｓｅｒｖｉｃｅ、ＰＣＳ）フォン、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、または携帯情報端末（Ｐｅｒｓｏｎａｌ  Ｄｉｇｉｔａｌ  Ａｓｓｉｓｔａｎｔ、ＰＤＡ）などのデバイスであり得る。ワイヤレス端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と呼ばれることもある。
【００８８】
本出願の実施形態におけるネットワークデバイスは、基地局もしくはアクセスポイントであり得るか、またはアクセスネットワーク中のエアインターフェース上で１つもしくは複数のセクタを介してワイヤレス端末と通信しているデバイスであり得る。基地局は、受信されたオーバージエアフレームおよびＩＰパケットを相互に変換し、ワイヤレス端末とアクセスネットワークの残りの部分との間のルータとして働くように構成され得る。アクセスネットワークの残りの部分はインターネットプロトコル（Ｉｎｔｅｒｎｅｔ  Ｐｒｏｔｏｃｏｌ、ＩＰ）ネットワークを含み得る。基地局は、さらにエアインターフェースの属性管理を協調させ得る。たとえば、基地局は、ＧＳＭもしくはＣＤＭＡにおける基地トランシーバ局（Ｂａｓｅ  Ｔｒａｎｓｃｅｉｖｅｒ  Ｓｔａｔｉｏｎ、ＢＴＳ）であり得るか、ＷＣＤＭＡにおけるノードＢ（ＮｏｄｅＢ）であり得るか、またはＬＴＥにおける発展型ノードＢ（ｅｖｏｌｖｅｄ  ＮｏｄｅＢ、ｅＮＢもしくはｅ−ＮｏｄｅＢ）または５Ｇネットワーク中のネットワークデバイスであり得る。これは、本出願では限定されない。
【００８９】
本出願の実施形態において提供されるワイヤレス通信方法は、メッセージを送るかもしくはメッセージを受信するための比較的低い遅延要件をもつ、どんなワイヤレス通信システム中の端末デバイスにも、ならびにメッセージを送るかもしくはメッセージを受信するように端末デバイスをスケジュールするネットワークデバイスにも適用可能である。本明細書で説明されるワイヤレス通信システムは、たとえば、ＬＴＥ通信システム、４Ｇ通信システム、または５Ｇ通信システムであり得る。
【００９０】
ＬＴＥ通信システムが例として使用される。従来技術では、図１に示されているように、ネットワークデバイス１０１が、ネットワークデバイス１０１によって送られたダウンリンクデータを受信するようにダウンリンク制御チャネルを通して、現在のサービスが比較的低い遅延要件を有する端末デバイス１０２をスケジュールした後に、ネットワークデバイス１０１が、ネットワークデバイス１０１によって送られたダウンリンクデータを受信するように、比較的高い送信遅延要件をもつ端末デバイス１０３をさらにスケジュールする必要がある場合、ネットワークデバイス１０１は、端末デバイス１０２に割り振られた１つまたは複数の時間周波数リソース上でダウンリンクデータを送り得る。しかしながら、ネットワークデバイス１０１が、端末デバイス１０２に割り振られた時間周波数リソースを使用することによって端末デバイス１０３にダウンリンクデータを送るとき、端末デバイス１０２の性能損失が引き起こされる。
【００９１】
本出願の実施形態において提供されるワイヤレス通信方法は、比較的低い遅延要件をもつ端末デバイスについての、およびリソース再割振りによって引き起こされる性能損失の従来技術の問題を解決することを目的とする。以下で、特定の実施形態を参照しながら本出願の技術的解決策について詳細に説明する。以下の特定の実施形態は相互に組み合わされてよく、いくつかの実施形態では同じまたは同様の概念または処理が繰り返し説明されないことがある。
【００９２】
第１に、本出願の実施形態における関係する概念について説明される。
【００９３】
通常の端末は、それのサービスが緊急端末のサービスよりも低い送信遅延要件を有する端末デバイスである。
【００９４】
緊急端末は、それのサービスが送信遅延に敏感である端末デバイスである。
【００９５】
図２は、本出願の一実施形態によるワイヤレス通信方法２００の概略対話図である。図２に示されているように、方法２００は以下のステップを含む。
【００９６】
Ｓ２１０．ネットワークデバイスが、現在のスケジューリング期間中にスケジュールされた各端末デバイスに物理ダウンリンク制御チャネルＰＤＣＣＨを送り得る。理解および区別を容易にするために、現在のスケジューリング期間中にスケジュールされた上記の端末デバイスは、以下では端末デバイス＃１〜端末デバイス＃Ｎとして示される。端末デバイス＃１〜端末デバイス＃Ｎは通常の端末を含み、Ｎ≧１である。
【００９７】
ＰＤＣＣＨは、端末デバイス＃１〜端末デバイス＃Ｎの各々に割り振られた時間周波数リソースを搬送し得る。理解および区別を容易にするために、端末デバイス＃１〜端末デバイス＃Ｎの各々に割り振られた時間周波数リソースは、以下では時間周波数リソース＃１〜時間周波数リソース＃Ｎとして示される。時間周波数リソース＃１〜時間周波数リソース＃Ｎは、端末デバイス＃１〜端末デバイス＃Ｎとの１対１の対応にある。たとえば、時間周波数リソース＃１は、ＰＤＣＣＨによって示され端末デバイス＃１に割り振られた時間周波数リソースであることがあり、時間周波数リソース＃２は、ＰＤＣＣＨによって示され端末デバイス＃２に割り振られた時間周波数リソースであることがあり、アナロジーによって、時間周波数リソース＃Ｎは、ＰＤＣＣＨによって示され端末デバイス＃Ｎに割り振られた時間周波数リソースであることがある。ここでは、繰り返しを避けるために詳細は省略される。
【００９８】
Ｓ２２０．ネットワークデバイスは、時間周波数リソース＃１〜時間周波数リソース＃Ｎのうちの少なくとも１つを再割り振りする。より詳細には、ネットワークデバイスは、時間周波数リソース＃１〜時間周波数リソース＃Ｎ中にあり通常の端末に割り振られた少なくとも１つの時間周波数リソースを再割り振りする。理解および区別を容易にするために、少なくとも１つの再割り振りされた時間周波数リソースは、以下では時間周波数リソース＃Ｍとして示される。１つまたは複数の時間周波数リソース＃Ｍがあることがある。これは、本出願では特に限定されない。
【００９９】
Ｓ２３０．ネットワークデバイスは、時間周波数リソース＃Ｍが再割り振りされることを示すために使用される指示情報（すなわち、ポステリアリソース指示情報：ｐｏｓｔｅｒｉｏｒ  ｒｅｓｏｕｒｃｅ  ｉｎｄｉｃａｔｉｏｎ  ｉｎｆｏｒｍａｔｉｏｎ、の一例）を送る。
【０１００】
限定ではなく例として、ポステリアリソース指示情報は、（事例１に示されているように）複数の端末デバイスによって検出および受信される共通情報であり得るか、またはポステリアリソース指示情報は、（事例２に示されているように）１つの端末デバイスによって検出および受信される専用情報であり得る。以下で、２つの事例における特定の手順について別々に詳細に説明する。
【０１０１】
事例１
【０１０２】
任意選択で、時間周波数リソースは、時間領域中の少なくとも１つの時間領域スケジューリングユニットに対応し、各時間領域スケジューリングユニットは少なくとも１つのミニスロットを含むか、または各時間領域スケジューリングユニットは少なくとも１つのシンボルを含む。本発明におけるシンボルは、ＯＦＤＭシンボルまたはＳＣ−ＦＤＭＡシンボルであり得る。
【０１０３】
特に、本出願のこの実施形態では、ＰＤＣＣＨによってスケジュールされる時間周波数リソースは、時間領域中の少なくとも１つの時間領域スケジューリングユニットに対応し得る。
【０１０４】
「ＰＤＣＣＨによってスケジュールされる時間周波数リソースは、時間領域中の少なくとも１つの時間領域スケジューリングユニットに対応し得る」ことは、ＰＤＣＣＨによってスケジュールされる時間周波数リソースが、時間領域中の少なくとも１つの時間領域スケジューリングユニットの範囲内に位置すること、言い換えれば、ＰＤＣＣＨによってスケジュールされる時間周波数リソースが、少なくとも１つの時間領域スケジューリングユニットの一部であることとして理解され得る。
【０１０５】
代替として、「ＰＤＣＣＨによってスケジュールされる時間周波数リソースは、時間領域中の少なくとも１つの時間領域スケジューリングユニットに対応し得る」ことは、ＰＤＣＣＨによってスケジュールされる時間周波数リソースが、時間領域中の少なくとも１つの時間領域スケジューリングユニット中の時間領域範囲全体を含むこととして理解され得る。
【０１０６】
以下で、最初に、本出願のこの実施形態における時間領域スケジューリングユニットについて説明する。
【０１０７】
特に、本出願のこの実施形態における時間領域スケジューリングユニットは、規格において指定され得る。
【０１０８】
たとえば、１つの時間領域スケジューリングユニットは、１つのサブフレーム（１４個のシンボル）を含み得る。
【０１０９】
別の例では、１つの時間領域スケジューリングユニットは、１つのスロット（７つのシンボル）を含み得る。
【０１１０】
別の例では、１つの時間領域スケジューリングユニットは、１つまたは複数のミニスロット（ｍｉｎｉ−ｓｌｏｔ）を含み得る。
【０１１１】
ミニスロット中に含まれるシンボルの量は７未満であり得る。
【０１１２】
限定ではなく例として、本出願のこの実施形態では、各ミニスロットにインデックスが割り振られることがあり、各ミニスロット中に含まれるシンボルの量は、ミニスロットのインデックスに対応する。たとえば、１つの時間領域スケジューリングユニットは６つのミニスロットを含み、６つのミニスロットのインデックスは、順番に０１２３４５であり得る。
【０１１３】
限定ではなく例として、時間領域スケジューリングユニットにおいて、インデックスが０であるミニスロットに対応するシンボルの量は３であることがあり、インデックスが１であるミニスロットに対応するシンボルの量は２であることがあり、インデックスが２であるミニスロットに対応するシンボルの量は２であることがあり、インデックスが３であるミニスロットに対応するシンボルの量は３であることがあり、インデックスが４であるミニスロットに対応するシンボルの量は２であることがあり、インデックスが５であるミニスロットに対応するシンボルの量は２であることがある。言い換えれば、時間領域スケジューリングユニットにおいて、ミニスロット中に含まれるシンボルの量は、順番に３２２３２２であり得る。
【０１１４】
別の例では、時間領域スケジューリングユニットにおいて、インデックスが０であるミニスロットに対応するシンボルの量は２であることがあり、インデックスが１であるミニスロットに対応するシンボルの量は２であることがあり、インデックスが２であるミニスロットに対応するシンボルの量は３であることがあり、インデックスが３であるミニスロットに対応するシンボルの量は２であることがあり、インデックスが４であるミニスロットに対応するシンボルの量は２であることがあり、インデックスが５であるミニスロットに対応するシンボルの量は３であることがある。言い換えれば、時間領域スケジューリングユニットにおいて、ミニスロットに対応するシンボルの量は、順番に２２３２２３であり得る。
【０１１５】
別の例では、１つの時間領域スケジューリングユニットは３つのミニスロットを含むことがあり、ミニスロット中に含まれるシンボルの量は、順番に３２２または２２３である。
【０１１６】
別の例では、１つの時間領域スケジューリングユニットは４つのミニスロットを含むことがあり、ミニスロット中に含まれるシンボルの量は、順番に４３４３または３４３４である。
【０１１７】
別の例では、１つの時間領域スケジューリングユニットは２つのミニスロットを含み、ミニスロット中に含まれるシンボルの量は、順番に４３または３４である。
【０１１８】
さらに、本出願のこの実施形態における時間領域スケジューリングユニットは、システムメッセージ、ブロードキャストメッセージ、または上位レイヤシグナリングを使用することによってネットワークデバイスによって構成され得る。ネットワークデバイスによって構成される時間領域スケジューリングユニットについては、規格において指定される時間領域スケジューリングユニットについての上記の説明を参照されたい。簡潔のために、ここでは詳細について再び説明されない。
【０１１９】
以下で、時間領域スケジューリングユニットの構造においてポステリアリソース指示情報を送る様式について詳細に説明する。
【０１２０】
任意選択で、少なくとも１つのポステリアリソース指示情報は、少なくとも１つの共通ポステリアリソース指示情報を含み、少なくとも１つの時間領域スケジューリングユニットは、少なくとも１つの共通ポステリアリソース指示情報との１対１の対応にあり、少なくとも１つの共通ポステリアリソース指示情報中のＩ番目の共通ポステリアリソース指示情報は、Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の少なくとも１つの再割り振りされた時間周波数リソースを示し、Ｉ∈［１，Ｘ］であり、Ｘは共通ポステリアリソース指示情報の量である。
【０１２１】
概して、ＰＤＣＣＨによってスケジュールされる時間周波数リソースは、時間領域中のＴ個の時間領域スケジューリングユニットに対応することがあり、Ｔ≧１であると仮定される。
【０１２２】
この事例では、α∈［１，Ｔ］である、Ｔ個の時間領域スケジューリングユニット中の任意の時間領域スケジューリングユニットＴαについて、少なくとも１つの再割り振りされた時間周波数リソースが、時間領域スケジューリングユニットＴαに対応する時間範囲内に存在する場合、言い換えれば、時間領域スケジューリングユニットＴαに属する時間周波数リソースが時間周波数リソース＃Ｍ中に存在する場合、ネットワークデバイスは、時間領域スケジューリングユニットＴαの時間範囲内で、時間領域スケジューリングユニットＴαに対応する共通ポステリアリソース指示情報Ｈαを送り得る。共通ポステリアリソース指示情報Ｈαは、時間領域スケジューリングユニットＴαに対応する時間範囲内に存在する再割り振りされた時間周波数リソースを示し得るか、または共通ポステリアリソース指示情報Ｈαは、時間領域スケジューリングユニットＴαに属し時間周波数リソース＃Ｍ中にある時間周波数リソースを示し得る。
【０１２３】
時間領域スケジューリングユニットＴα中にスケジュールされたすべての端末デバイスが端末デバイスＴαとして示される場合、端末デバイスＴαは、１つまたは複数の第１タイプ端末デバイスを含み得ることに留意されたい。理解および区別を容易にするために、第１タイプ端末デバイスは、以下では端末デバイスＴα−１として示される。端末デバイスＴα−１は、それの使用された時間周波数リソースが再割り振りされ得る端末デバイスであり得る。
【０１２４】
限定ではなく例として、本出願のこの実施形態では、すべての端末デバイスＴαが第１タイプ端末デバイスであることがあり、したがって、端末デバイスＴαのすべてが、共通ポステリアリソース指示情報Ｈαを検出し得る。
【０１２５】
代替として、本出願のこの実施形態では、端末デバイスＴαは、１つまたは複数の第２タイプ端末デバイスをさらに含み得る。理解および区別を容易にするために、第２タイプ端末デバイスは、以下では端末デバイスＴα−２として示されることがある。端末デバイスＴα−２は、それの使用された時間周波数リソースが再割り振りされ得ない端末デバイスであり得る。たとえば、端末デバイスＴα−２は、ＰＤＣＣＨによって示される割り振られた物理ダウンリンク共有チャネル（Ｐｈｙｓｉｃａｌ  Ｄｏｗｎｌｏａｄ  Ｓｈａｒｅｄ  Ｃｈａｎｎｅｌ、ＰＤＳＣＨ）の終端シンボルが、ＰＤＣＣＨの終端シンボルからｖ個のシンボルだけ離れている端末デバイスであることがあり、ｖ≧１である。言い換えれば、比較的少量の時間領域リソースがＰＤＳＣＨによって占有され、ＰＤＣＣＨのそれに近いとき、ＰＤＳＣＨの時間周波数リソースは再割り振りされない。別の例では、端末デバイスＴα−２は、ＰＤＣＣＨによって示される１つまたは複数の割り振られた周波数領域リソースのそれの帯域幅が特定の量よりも少ない端末デバイスであり得る。たとえば、それの帯域幅が４８個のサブキャリアまたは３６個のサブキャリアよりも少ない端末デバイスに割り振られた１つまたは複数の時間周波数リソースは、再割り振りされない。したがって、端末デバイスＴα中の端末デバイスＴα−２は、共通ポステリアリソース指示情報Ｈαを検出しないことがある。したがって、端末デバイスＴα−１は、検出された共通ポステリアリソース指示情報Ｈαに基づいて、ＰＤＣＣＨによって端末デバイスＴα−１に割り振られ時間領域スケジューリングユニットＴαに属する少なくとも１つの時間周波数リソースが再割り振りされるかどうかを判定することができる。時間周波数リソースが再割り振りされると判定された場合、端末デバイスＴα−１は、再割り振りされた時間周波数リソース上で搬送されるデータを受信しない（たとえば、復号または復調しない）ことがある。
【０１２６】
時間周波数リソースが再割り振りされないと判定された場合、端末デバイスＴα−１は、ＰＤＣＣＨによって端末デバイスＴα−１に割り振られ時間領域スケジューリングユニットＴαに属する時間周波数リソース中のすべての時間周波数リソース上のデータを受信し得る（たとえば、復号または復調し得る）。
【０１２７】
以下で、共通ポステリアリソース指示情報Ｈαを搬送する時間周波数リソースについての、時間領域スケジューリングユニットＴα中にある時間領域ロケーションについて説明する。
【０１２８】
たとえば、任意選択で、各共通ポステリアリソース指示情報は、時間領域中の対応する時間領域スケジューリングユニット中の最後のＭ個のシンボル上で搬送され、Ｍ≧１である。
【０１２９】
特に、限定ではなく例として、共通ポステリアリソース指示情報Ｈαを搬送する時間周波数リソースは、時間領域スケジューリングユニットＴα中の最後のＭ個のシンボル上に位置する。
【０１３０】
共通ポステリアリソース指示情報Ｈαを搬送する時間周波数リソースについての、時間領域スケジューリングユニットＴα中にある上記の記載された時間領域ロケーションは、説明のための一例にすぎないことを理解されたい。本出願はそれに限定されない。共通ポステリアリソース指示情報Ｈαを搬送する時間周波数リソースについての、時間領域スケジューリングユニットＴα中にあるロケーションはランダムであってよく、共通ポステリアリソース指示情報Ｈαを搬送する時間周波数リソース（たとえば、シンボル）の量もランダムに判定され得る。加えて、共通ポステリアリソース指示情報Ｈαを搬送する時間周波数リソースが複数のシンボルを含むとき、それらの複数のシンボルは連続または不連続であり得る。これは、本出願では特に限定されない。
【０１３１】
任意選択で、共通ポステリアリソース指示情報Ｈαを搬送するＲＥの量は固定である。
【０１３２】
さらに、共通ポステリアリソース指示情報Ｈαは、時間領域スケジューリングユニットＴα中の最後のシンボル上で搬送されることがあり、周波数領域リソース中で再割り振りされ得る少なくとも１つの周波数領域リソースにおいて一様に分配され得る。共通ポステリアリソース指示情報Ｈαの周波数領域ロケーションは、少なくとも１つの再割り振りされた周波数領域リソースの帯域幅のサイズとともに変動し得る。ネットワークデバイスは、再割り振りされ得る周波数帯域全体中で再割り振りされた周波数領域リソースを一様に分配することによって周波数利得を獲得し、それにより、共通ポステリアリソース指示情報Ｈαの送信信頼性を改善し得る。
【０１３３】
図３および図４は、本出願の一実施形態による、リソース再割振りがその上で実施される、１つまたは複数の時間周波数リソースの概略図である。図３および図４に示されているように、端末デバイス＃１の時間周波数リソース＃１は、時間領域中の時間領域スケジューリングユニットＴ1中の第３のシンボルを含み、端末デバイス＃２の時間周波数リソース＃２も、時間領域中の時間領域スケジューリングユニットＴ1中の第３のシンボルを含む。時間領域スケジューリングユニットＴ1中の第３のシンボルは第３の緊急端末に再割り振りされ、共通ポステリアリソース指示情報Ｈ1は、時間領域スケジューリングユニットＴ1中の最後のシンボルを占有し、システム周波数帯域全体において一様に分配される。
【０１３４】
任意選択で、少なくとも１つのポステリアリソース指示情報を搬送するために使用される時間周波数リソースは、システムによって指定された予約済みリソースである。
【０１３５】
特に、本出願のこの実施形態では、共通ポステリアリソース指示情報Ｈαを搬送する時間周波数リソースについての、時間領域スケジューリングユニットＴα中にある時間領域ロケーションは、システムによって指定されることがあり、共通ポステリアリソース指示情報Ｈαを搬送する時間周波数リソースは、共通ポステリアリソース指示情報Ｈα以外の情報を搬送するために使用されるのを禁止され得る。
【０１３６】
加えて、本出願のこの実施形態では、共通ポステリアリソース指示情報Ｈαを搬送する時間周波数リソースは共通リソースであることがあり、言い換えれば、共通ポステリアリソース指示情報Ｈαを搬送する時間周波数リソースは、複数の端末デバイス（たとえば、端末デバイスＴα−１）によって検出され得る。
【０１３７】
任意選択で、本出願のこの実施形態では、各時間領域スケジューリングユニットは、周波数領域中のｑ個の周波数帯域に対応することがある。各共通ポステリアリソース指示情報はｑ個のビットグループを含むことがあり、ｑ個の周波数帯域は、ｑ個のビットグループとの１対１の対応にある。各ビットグループはｋ−ｙビットを含み得る。周波数帯域Ｆｊに対応するビットグループＺｊについて、ビットグループＺｊ中のｋ−ｙビットは、周波数帯域Ｆｊに対応するｋ−ｙ個のミニスロットまたはシンボルとの１対１の対応にある。ビットグループＺｊ中のビットのビット値は、周波数帯域Ｆｊに対応する時間領域スケジューリングユニット中の最後のｋ−ｙ個のミニスロットまたはシンボルが再割り振りされるかどうかを示すために使用され、ｋ≧１、ｑ≧１、ｙ≧０、ｋ＞ｙ、ｊ∈［１，ｋ］であり、ｋは、時間領域スケジューリングユニット中に含まれるミニスロットまたはシンボルの量である。
【０１３８】
特に、ｑ＝１およびｙ＝１であるとき、各時間領域スケジューリングユニットは、周波数領域中の１つの周波数帯域Ｆ１に対応し得る。周波数帯域Ｆ１は、スケジュールされ得る周波数領域リソース全体である。この事例では、各共通ポステリアリソース指示情報は１つのビットグループＺ１を含むことがあり、ビットグループＺ１中に含まれるｋビットは、ｋ個のミニスロットまたはシンボルとの１対１の対応にある。ｋビットのビット値は、周波数帯域Ｆ１を占有するｋ個のミニスロットまたはシンボルが再利用されるかどうかをそれぞれ示すために使用され得る。たとえば、各時間領域スケジューリングユニットが６つのシンボルを含むとき、言い換えれば、ｋ＝６であるとき、各共通ポステリアリソース指示情報は６ビットを含み得る。シンボルのインデックスの値に基づいて、これらの６ビットは、第１のシンボルから第６のシンボルが再割り振りされるかどうかを順番に示す。再割り振りされたシンボルは、周波数領域において、スケジュールされ得る周波数領域リソース全体を占有する。たとえば、共通ポステリアリソース指示情報Ｈ1の６ビットは０００１０１であり、これは、時間領域スケジューリングユニットＴ1の第４のシンボルおよび第６のシンボルが再割り振りされることを示す。代替として、６ビットが１１１０１０であるとき、それは、第４のシンボルおよび第６のシンボルが再割り振りされることを示す。
【０１３９】
ｑ＞１およびｙ＝１であるとき、説明のための一例としてｑ＝２が使用される。各時間領域スケジューリングユニットは、周波数領域中の２つの周波数帯域に対応し、言い換えれば、スケジュールされることができる周波数領域リソース全体は、周波数帯域Ｆ１と周波数帯域Ｆ２との２つの周波数帯域に分割され得る。周波数帯域Ｆ１の帯域幅は、周波数帯域Ｆ２の帯域幅に等しいことも等しくないこともある。これは、本出願のこの実施形態では限定されない。この事例では、各共通ポステリアリソース指示情報は、周波数帯域Ｆ１に対応するビットグループＺ１と、周波数帯域Ｆ２に対応するビットグループＺ２との２つのビットグループを含み得る。ここで、ビットグループＺ１中に含まれるｋビットは、周波数帯域Ｆ１に対応するｋ個のミニスロットまたはシンボルとの１対１の対応にあり、ビットグループＺ２中に含まれるｋビットは、周波数帯域Ｆ２に対応するｋ個のミニスロットまたはシンボルとの１対１の対応にある。ビットグループＺ１中に含まれるｋビットは、周波数帯域Ｆ１に対応するｋ個のミニスロットまたはシンボルが再割り振りされるかどうかを示すために使用され、ビットグループＺ２中に含まれるｋビットは、周波数帯域Ｆ２に対応するｋ個のミニスロットかシンボルが再割り振りされるかどうかを示すために使用される。たとえば、各時間領域スケジューリングユニットは７つのシンボルを含み、言い換えれば、ｋ＝７である。各共通ポステリアリソース指示情報は２つのビットグループを含むことがあり、各ビットグループは７ビットを含み得る。シンボルのインデックスの値に基づいて、ビットグループＺ１中の７ビットは、周波数領域中の周波数帯域Ｆ１上に位置する第１のシンボルから第７のシンボルが再割り振りされるかどうかを順番に示し、ビットグループＺ２中の７ビットは、周波数領域中の周波数帯域Ｆ２上に位置する第１のシンボルから第７のシンボルが再割り振りされるかどうかを順番に示す。さらに、ビット値が０であるとき、それは、対応する周波数帯域上の対応するミニスロットもしくはシンボルが再割り振りされることを示すことがあるか、またはビット値が１であるとき、それは、対応する周波数帯域上の対応するミニスロットもしくはシンボルが再割り振りされないことを示す。代替として、ビット値が１であるとき、それは、対応する周波数帯域上の対応するミニスロットもしくはシンボルが再割り振りされることを示すことがあるか、またはビット値が０であるとき、それは、対応する周波数帯域上の対応するミニスロットもしくはシンボルが再割り振りされないことを示す。
【０１４０】
したがって、ネットワークデバイスは、それぞれ（ｑ×ｋ個の）元のビットを含むＸ個の共通ポステリアリソース指示情報を送ることによって、ＰＤＣＣＨによってスケジュールされる時間周波数リソース中の再割り振りされた時間周波数リソースを示し得る。
【０１４１】
ｙが１でないとき、たとえば、ｙ＝２であるとき、それは、時間領域中の各時間領域スケジューリングユニット中に含まれるｋ個のミニスロットまたはシンボル中の最初の２つのミニスロットまたはシンボルが固定であり、再割振りのために使用されないことを示す。この事例では、各時間領域スケジューリングユニット中に含まれるｋ−２個のミニスロットまたはシンボルに対応するｋ−２ビットは、対応する周波数帯域上の対応する時間領域スケジューリングユニット中の３番目のミニスロットまたはシンボルからｋ番目のミニスロットまたはシンボル中の再割り振りされた時間周波数リソースを示すために使用される。詳細については、ｙ＝１であるときの上記の説明を参照されたい。簡潔のために、ここでは詳細について再び説明されない。
【０１４２】
したがって、ネットワークデバイスは、それぞれ（ｑ×（ｋ−ｙ）個の）元のビットを含むＸ個のポステリアリソース指示情報を送ることによって、ＰＤＣＣＨによってスケジュールされる時間周波数リソース中の再割り振りされた時間周波数リソースを示し得る。
【０１４３】
任意選択で、各時間領域スケジューリングユニットは共通時間周波数リソースを含み、ｉ番目の時間領域スケジューリングユニット中の共通時間周波数リソースは、ｉ番目の時間領域スケジューリングユニット中でスケジュールされた端末デバイスのうちの一部または全部によって受信され、ｉ∈［１，Ｎ］であり、Ｎは、時間領域中の時間周波数リソース中に含まれる時間領域スケジューリングユニットの量である。
【０１４４】
特に、時間周波数リソースは、ネットワークデバイスによってスケジュールされ、時間領域中の１つまたは複数の時間領域スケジューリングユニットを含む時間周波数リソースである。言い換えれば、ネットワークデバイスによってスケジュールされる時間領域リソースは、１つまたは複数の時間領域スケジューリングユニットを含む。各時間領域スケジューリングユニットは、ネットワークデバイスによってスケジュールされるただ１つの通常の端末の時間領域リソースを含み得るか、またはネットワークデバイスによってスケジュールされる複数の通常の端末の時間領域リソースを含み得る。各時間領域スケジューリングユニットは、時間領域スケジューリングユニット中でスケジュールされる端末デバイスのうちの全部または一部の共通時間周波数リソースを含む。時間領域スケジューリングユニット中でスケジュールされる端末デバイスのうちの全部または一部は、共通時間周波数リソース上で、時間領域スケジューリングユニットに対応するポステリアリソース指示情報を受信し得る。
【０１４５】
本出願のこの実施形態におけるワイヤレス通信方法では、端末デバイスに割り振られた時間周波数リソースが属する時間領域スケジューリングユニットに対応する共通ポステリアリソース指示情報を検出することによって、端末デバイスは、端末デバイスに割り振られた時間周波数リソース中に、再割り振りされた時間周波数リソースがあるかどうかを判定し、端末デバイスに割り振られた時間周波数リソース中の再割り振りされた時間周波数リソースを判定し得る。このようにして、端末デバイスは、再割り振りされない時間周波数リソース上で搬送されるデータのみを受信し（たとえば、復号または復調し）得、再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるワイヤレス通信方法を使用することによって低減され得る。
【０１４６】
事例２
【０１４７】
任意選択で、少なくとも１つのポステリアリソース指示情報は、少なくとも１つの専用ポステリアリソース指示情報を含み、少なくとも１つの専用ポステリアリソース指示情報は、少なくとも１つの端末デバイスとの１対１の対応にあり、少なくとも１つの端末デバイスは、ＰＤＣＣＨによってスケジュールされた端末デバイスに属し、少なくとも１つの専用ポステリアリソース指示情報中のＪ番目の専用ポステリアリソース指示情報は、Ｊ番目の専用ポステリアリソース指示情報に対応する端末デバイスに割り振られた時間周波数リソース中の少なくとも１つの再割り振りされた時間周波数リソースを示し、Ｊ∈［１，Ｙ］であり、Ｙは端末デバイスの量である。
【０１４８】
特に、本出願のこの実施形態では、ＰＤＣＣＨによって示されるそれの時間周波数リソースが、少なくとも１つの再割り振りされた時間周波数リソースを含む端末デバイスは、端末デバイスＴβとして示される。言い換えれば、端末デバイスＴβによって使用されＰＤＣＣＨによって示される時間周波数リソースのうちの一部または全部は再割り振りされるか、または端末デバイスＴβは、時間周波数リソース＃Ｍの元の割振り対象（もしくは再割振りの前の割振り対象）であり得る。１つまたは複数の端末デバイスＴβがあることがある。これは、本出願では特に限定されない。
【０１４９】
本出願のこの実施形態では、端末デバイスＴβの処理プロセスは同様であり得ることに留意されたい。ここで、理解および説明を容易にするために、説明のための一例として（端末デバイスＴβ＃１として示される）端末デバイスＴβのうちの１つの処理プロセスが使用される。
【０１５０】
特に、ネットワークデバイスは、端末デバイスＴβ＃１によって使用されＰＤＣＣＨによって示される時間周波数リソース中で、（理解および区別を容易にするために以下で時間周波数リソース＃Ｍβ＃１として示される）少なくとも１つの再割り振りされた時間周波数リソースを判定する。
【０１５１】
その後、ネットワークデバイスは、時間周波数リソース＃Ｍβ＃１を示すために使用される指示情報（すなわち、専用ポステリアリソース指示情報の一例）を生成し得る。理解および区別を容易にするために、指示情報は、以下では専用ポステリアリソース指示情報Ｈβ＃１として示される。
【０１５２】
加えて、ネットワークデバイスは、ＰＤＣＣＨによって端末デバイスＴβ＃１にスケジュールされた時間周波数リソース（理解を容易にするために以下で時間周波数リソース＃Ｔβ＃１として示される）を使用することによって、端末デバイスＴβ＃１に専用ポステリアリソース指示情報Ｈβ＃１を送り得る。このようにして、端末デバイスＴβ＃１は、専用ポステリアリソース指示情報Ｈβ＃１に基づいて、時間周波数リソース＃Ｍβ＃１が再割り振りされると判定することがあり、したがって、端末デバイスＴβ＃１は、時間周波数リソース＃Ｍβ＃１上で搬送されるデータを受信しない（たとえば、復号または復調しない）ことがある。
【０１５３】
以下で、専用ポステリアリソース指示情報Ｈβ＃１を搬送する時間周波数リソースについての、時間周波数リソース＃Ｔβ＃１中にある時間領域ロケーションについて説明する。
【０１５４】
たとえば、任意選択で、各専用ポステリアリソース指示情報は、対応する端末デバイスに割り振られＰＤＣＣＨによって示される最後のＮ個のシンボル上で搬送され、Ｎ≧１である。
【０１５５】
特に、限定ではなく例として、専用ポステリアリソース指示情報Ｈβ＃１を搬送する時間周波数リソースは、時間周波数リソース＃Ｔβ＃１中の最後のＮ個のシンボル上に位置する。
【０１５６】
専用ポステリアリソース指示情報Ｈβ＃１を搬送する時間周波数リソースについての、時間周波数リソース＃Ｔβ＃１中にある上記の記載されたロケーションは、説明のための一例にすぎないことを理解されたい。本出願はそれに限定されない。専用ポステリアリソース指示情報Ｈβ＃１を搬送する時間周波数リソースについての、時間周波数リソース＃Ｔβ＃１中にあるロケーションはランダムであってよく、専用ポステリアリソース指示情報Ｈβ＃１を搬送する時間周波数リソース（たとえば、シンボル）の量もランダムに判定され得る。加えて、専用ポステリアリソース指示情報Ｈβ＃１を搬送する時間周波数リソースが複数のシンボルを含むとき、それらの複数のシンボルは連続または不連続であり得る。これは、本出願では特に限定されない。
【０１５７】
任意選択で、専用ポステリアリソース指示情報Ｈβ＃１を搬送するＲＥの量は、符号化レートとともに変動し得る。
【０１５８】
図５は、本出願の一実施形態による、リソース再割振りがその上で実施される時間周波数リソースの概略図である。図５に示されているように、時間領域において、端末デバイスＴ1＃１の専用ポステリアリソース指示情報Ｈ1＃１は、端末デバイスＴ1＃１に割り振られた時間周波数リソース＃Ｔ1＃１の最後のシンボル上に位置し、時間領域において、端末デバイスＴ2＃１の専用ポステリアリソース指示情報Ｈ2＃１は、端末デバイスＴ2＃１に割り振られた時間周波数リソース＃Ｔ2＃１の最後の２つのシンボル上に位置する。
【０１５９】
任意選択で、端末デバイスＴβに割り振られた周波数帯域がキャリアの特定の量よりも少ないとき、たとえば、７２個のサブキャリア、４８個のサブキャリア、または３６個のサブキャリアよりも少ないとき、専用ポステリアリソース指示情報Ｈβ＃１は、時間周波数リソース＃Ｔβ＃１の最後の２つのシンボルを占有し得る。
【０１６０】
任意選択で、端末デバイスＴβ＃１の時間周波数リソースＴβ＃１中の最後のシンボルから最後から２番目のシンボルへの方向に従って、専用ポステリアリソース指示情報Ｈβ＃１は、最後のシンボル上で最小シリアル番号をもつサブキャリアから最大シリアル番号をもつサブキャリアへの方向に配置され得るか、または専用ポステリアリソース指示情報Ｈβ＃１は、最後のシンボル上で最大シリアル番号をもつサブキャリアから最小シリアル番号をもつサブキャリアへの方向に配置され得る。
【０１６１】
図６は、本出願の一実施形態による、リソース再割振りがその上で実施される、１つまたは複数の時間周波数リソースの概略図である。図６に示されているように、端末デバイスＴ1＃１の専用ポステリアリソース指示情報Ｈ1＃１は、時間領域中の時間周波数リソース＃Ｔ1＃１の最後のシンボル上に位置する。端末デバイスＴ2＃１に割り振られた時間周波数リソース＃Ｔ2＃１の最後のシンボルから最後から２番目のシンボルへの方向に従って、端末デバイスＴ2＃１の専用ポステリアリソース指示情報Ｈ２＃１は、最後のシンボル上で最小シリアル番号をもつサブキャリアから最大シリアル番号をもつサブキャリアへの方向に配置される。
【０１６２】
任意選択で、本出願のこの実施形態では、Ｊ番目の専用ポステリアリソース指示情報に対応する端末デバイスに割り振られた時間周波数リソースは、周波数領域中のｚ個の周波数帯域に対応し、Ｊ番目の専用ポステリアリソース指示情報はｚ個のビットグループを含み、ｚ個の周波数帯域は、ｚ個のビットグループとの１対１の対応にあり、各ビットグループはｐ−ｓビットを含む。周波数帯域Ｄｒに対応するビットグループＵｒについて、ビットグループＵｒ中のｐ−ｓビットは、周波数帯域Ｄｒに対応するｐ−ｓ個のミニスロットまたはシンボルとの１対１の対応にある。ビットグループＵｒ中のビットのビット値は、Ｊ番目の専用ポステリアリソース指示情報に対応する端末デバイスに割り振られ周波数帯域Ｄｒに対応する時間周波数リソースの時間領域中の最後のｐ−ｓ個のミニスロットまたはシンボルが、再割り振りされるかどうかを示すために使用され、ｓ≧０、ｐ≧１、ｚ≧１、ｐ＞ｓ、ｒ∈［１，ｐ］であり、ｐは、Ｊ番目の専用ポステリアリソース指示情報に対応する端末デバイスに割り振られた時間周波数リソース中の、時間領域において含まれるミニスロットまたはシンボルの量である。
【０１６３】
特に、ｚ＝１およびｓ＝１であるとき、ｊ番目の専用ポステリアリソース指示情報に対応する端末デバイスに割り振られた時間周波数リソースは、周波数領域中の１つの周波数帯域Ｄ１に対応し得る。周波数帯域Ｄ１は、ｊ番目の専用ポステリアリソース指示情報に対応する端末デバイスに割り振られた時間周波数リソースの周波数領域リソースである。この事例では、ｊ番目の専用ポステリアリソース指示情報は１つのビットグループＵ１を含むことがあり、ビットグループＵ１中に含まれるｐビットは、ｐ個のミニスロットまたはシンボルとの１対１の対応にある。ｐビットのビット値は、周波数帯域Ｄ１を占有するｐ個のミニスロットまたはシンボルが再利用されるかどうかをそれぞれ示すために使用され得る。たとえば、ｊ番目の専用ポステリアリソース指示情報に対応する端末デバイスに割り振られた時間周波数リソースが時間領域中に６つのシンボルを含むとき、言い換えれば、ｐ＝６であるとき、ｊ番目の専用ポステリアリソース指示情報は６ビットを含み得る。シンボルのインデックスの値に基づいて、これらの６ビットは、第１のシンボルから第６のシンボルが再割り振りされるかどうかを順番に示す。ビットのビット値が０であるとき、それは、対応するシンボルもしくはミニスロットが再割り振りされることを示し得るか、またはビットのビット値が１であるとき、それは、対応するシンボルもしくはミニスロットが再割り振りされないことを示し得る。代替として、ビットのビット値が１であるとき、それは、対応するシンボルもしくはミニスロットが再割り振りされることを示し得るか、またはビットのビット値が０であるとき、それは、対応するシンボルもしくはミニスロットが再割り振りされないことを示し得る。
【０１６４】
ｚ＞１およびｓ＝１であるとき、説明のための一例としてｚ＝２が使用される。ｊ番目の専用ポステリアリソース指示情報に対応する端末デバイスに割り振られた時間周波数リソースは、周波数領域中の２つの周波数帯域に対応し、言い換えれば、ｊ番目の専用ポステリアリソース指示情報に対応する端末デバイスに割り振られた時間周波数リソースの周波数領域リソースは、周波数帯域Ｄ１と周波数帯域Ｄ２との２つの周波数帯域に分割され得る。この事例では、ｊ番目の専用ポステリアリソース指示情報は、周波数帯域Ｄ１に対応するビットグループＵ１と、周波数帯域Ｄ２に対応するビットグループＵ２との２つのビットグループを含み得る。ここで、ビットグループＵ１中に含まれるｐビットは、周波数帯域Ｄ１に対応するｐ個のミニスロットまたはシンボルとの１対１の対応にあり、ビットグループＵ２中に含まれるｐビットは、周波数帯域Ｄ２に対応するｐ個のミニスロットまたはシンボルとの１対１の対応にある。ビットグループＵ１中に含まれるｐビットは、周波数帯域Ｄ１に対応するｐ個のミニスロットまたはシンボルが再割り振りされるかどうかを示すために使用され、ビットグループＵ２中に含まれるｐビットは、周波数帯域Ｄ２に対応するｐ個のミニスロットかシンボルが再割り振りされるかどうかを示すために使用される。たとえば、ｊ番目の専用ポステリアリソース指示情報に対応する端末デバイスに割り振られた時間周波数リソースは、時間領域中に７つのシンボルを含み、言い換えれば、ｐ＝７である。ｊ番目の専用ポステリアリソース指示情報は２つのビットグループを含むことがあり、各ビットグループは７ビットを含み得る。シンボルのインデックスの値に基づいて、ビットグループＵ１中の７ビットは、周波数領域中の周波数帯域Ｄ１上に位置する第１のシンボルから第７のシンボルが再割り振りされるかどうかを順番に示し、ビットグループＵ２中の７ビットは、周波数領域中の周波数帯域Ｄ２上に位置する第１のシンボルから第７のシンボルが再割り振りされるかどうかを順番に示す。さらに、ビット値が０であるとき、それは、対応するミニスロットもしくはシンボルが再割り振りされることを示すことがあるか、またはビット値が１であるとき、それは、対応するミニスロットもしくはシンボルが再割り振りされないことを示す。代替として、ビット値が１であるとき、それは、対応するミニスロットもしくはシンボルが再割り振りされることを示すことがあるか、またはビット値が０であるとき、それは、対応するミニスロットもしくはシンボルが再割り振りされないことを示す。
【０１６５】
したがって、ネットワークデバイスは、ｚ×ｐ個の元のビットを含む専用ポステリアリソース指示情報を送ることによって、ＰＤＣＣＨによってスケジュールされる端末デバイスの時間周波数リソース中の再割り振りされた時間周波数リソースを示し得る。
【０１６６】
ｓが０でないとき、たとえば、ｓ＝１であるとき、それは、ｊ番目の専用ポステリアリソース指示情報に対応する端末デバイスに割り振られた時間周波数リソース中に時間領域において含まれるｐ個のミニスロットまたはシンボル中の第１のミニスロットまたはシンボルが固定であり、再割振りのために使用されないことを示す。
【０１６７】
したがって、ネットワークデバイスは、ｚ×（ｐ−ｓ）個の元のビットを含む専用ポステリアリソース指示情報を送ることによって、ＰＤＣＣＵによってスケジュールされる端末デバイスの時間周波数リソース中の再割り振りされた時間周波数リソースを示し得る。
【０１６８】
本出願のこの実施形態では、ＰＤＣＣＨによって示され端末デバイスに割り振られた時間周波数リソース上で搬送される専用ポステリアリソース指示情報を検出することによって、端末デバイスは、端末デバイスに割り振られた時間周波数リソース中に少なくとも１つの再割り振りされた時間周波数リソースがあるかどうかを判定し、端末デバイスに割り振られた時間周波数リソース中の再割り振りされた時間周波数リソースを判定し得る。このようにして、ダウンリンク送信中に、端末デバイスは、端末デバイスに割り振られた時間周波数リソース中で再割り振りされない少なくとも１つの時間周波数リソース上のダウンリンクデータのみを復調または復号して、正しくダウンリンクデータを受信し得る。したがって、リソース再割振りによって引き起こされる端末デバイスの受信性能損失は、本出願のこの実施形態におけるワイヤレス通信方法を使用することによって低減され得る。
【０１６９】
本出願のこの実施形態におけるポステリアリソース指示情報、たとえば、共通ポステリアリソース指示情報または専用ポステリアリソース指示情報は、上記で説明されたビット（元のビット）が符号化され変調された後に取得されるビット、そのビットとともに送られるパイロットチャネルなどを含み得ることを理解されたい。
【０１７０】
本出願の別の実施形態では、端末デバイスは対応するＰＤＣＣＨを受信する前に、本方法は、ネットワークデバイスによって送られた指示シグナリングを端末デバイスによって受信するステップをさらに含み得る。指示シグナリングは、再割り振りされ得る周波数領域リソースを示すために使用され得るか、または指示シグナリングは、端末デバイスがポステリアリソース指示情報を受信する必要があるかどうかを示すために使用され得る。端末デバイスは、現在のスケジューリング期間中にスケジュールされる各端末デバイスであり得る。
【０１７１】
さらに、端末デバイスは、ネットワークデバイスによって送られたシステム情報、無線リソース制御ＲＲＣシグナリング、またはメディアアクセス制御制御要素（Ｍｅｄｉａ  Ａｃｃｅｓｓ  Ｃｏｎｔｒｏｌ  Ｃｏｎｔｒｏｌ  Ｅｌｅｍｅｎｔ、ＭＡＣ  ＣＥ）を受信し得る。システム情報が指示シグナリングを搬送し得るか、ＲＲＣレイヤシグナリングが指示シグナリングを搬送し得るか、またはＭＡＣ  ＣＥが指示シグナリングを搬送し得る。
【０１７２】
指示シグナリングが、ＰＤＣＣＨによってスケジュールされる時間周波数リソース中に割り振られ得る周波数領域リソースを示すとき、指示シグナリングは、ダウンリンクリソースブロック割振りフィールドを特に含み得る。指示シグナリング中のダウンリンクリソースブロック割振りフィールドは、再割り振りされ得るリソースブロックの開始ロケーションおよび終了ロケーションを示すために使用され得るか、または指示シグナリング中のダウンリンクリソースブロック割振りフィールドは、再割り振りされ得るリソースブロックの開始ロケーションおよび量を示すために使用され得る。通常の端末は、指示シグナリング中のダウンリンクリソースブロック割振りフィールドを読み取ることよって、ＰＤＣＣＨによってスケジュールされる時間周波数リソースが、再割り振りされ得る周波数領域リソースを含むかどうかを判定し得る。
【０１７３】
加えて、指示シグナリングは、キャリアのすべての周波数領域リソースが再割り振りされ得るかどうかを示すために使用され得る。さらに、端末デバイスは、ネットワークデバイスによって送られたシステム情報またはブロードキャストチャネルを受信し得る。システム情報が指示シグナリングを搬送し得るか、またはブロードキャストチャネルが指示シグナリングを搬送し得る。
【０１７４】
たとえば、指示シグナリングは１ビットを含むことがあり、このビットは第１のビットと呼ばれることがある。第１のビットのビット値は、キャリア全体が再割り振りされ得るかどうかを示し得る。たとえば、第１のビットが０であるとき、それは、キャリア全体が再割り振りされ得ることを示すか、または第１のビットが１であるとき、それは、キャリア全体が再割り振りされ得ないことを示す。代替として、第１のビットが１であるとき、それは、キャリア全体が再割り振りされ得ることを示すか、または第１のビットが０であるとき、それは、キャリア全体が再割り振りされ得ないことを示す。
【０１７５】
図７および図８は、本出願の一実施形態による、リソース再割振りがその上で実施される時間周波数リソースの概略図である。
【０１７６】
指示シグナリングは、ダウンリンクリソースブロック割振りフィールドを使用することによって、キャリア全体中で再割り振りされ得る周波数領域リソースを示し得る。図７は、指示シグナリングによって示されキャリア全体中で再割り振りされ得る周波数領域リソース＃１を示す。
【０１７７】
指示シグナリング中の第１のビットが０であるとき、それは、キャリア全体が再割り振りされ得ることを示す。図８は、指示シグナリングによって示されキャリア全体中で再割り振りされ得る周波数領域リソース＃２を示す。
【０１７８】
任意選択で、指示シグナリングは、端末デバイスがポステリアリソース指示情報を受信する必要があるかどうかを示し得る。指示シグナリングは、ＲＲＣレイヤシグナリングを使用することによって搬送され得る。この事例では、端末デバイスが、ネットワークデバイスによって送られたポステリアリソース指示情報を受信する前に、端末デバイスは、端末デバイスがポステリアリソース指示情報を受信する必要があるかどうかを判定する必要がさらにある。端末デバイスがポステリアリソース指示情報を受信する必要があると端末デバイスが判定したとき、端末デバイスはポステリアリソース指示情報を受信し得る。
【０１７９】
さらに、指示シグナリングは１ビットを含むことがあり、このビットは第２のビットと呼ばれることがある。第２のビットのビット値は、通常の端末がポステリアリソース指示情報を受信する必要があるかどうかを示し得る。たとえば、第２のビットが０であるとき、それは、ネットワークデバイスが再構成を実施するまで、通常の端末がポステリアリソース指示情報を受信する必要がないことを示すか、または第２のビットが１であるとき、それは、ネットワークデバイスが再構成を実施するまで、通常の端末がポステリアリソース指示情報を受信する必要があることを示す。代替として、第２のビットが１であるとき、それは、ネットワークデバイスが再構成を実施するまで、通常の端末がポステリアリソース指示情報を受信する必要がないことを示すか、または第２のビットが０であるとき、それは、ネットワークデバイスが再構成を実施するまで、通常の端末がポステリアリソース指示情報を受信する必要があることを示す。
【０１８０】
任意選択で、ＰＤＣＣＨは、端末デバイスがポステリアリソース指示情報を受信する必要があるかどうかをさらに示し得る。ＰＤＣＣＨを受信した後に、端末デバイスは、ＰＤＣＣＨに基づいて、ポステリアリソース指示情報を受信すべきかどうかを判定し得る。端末デバイスが、ＰＤＣＣＨに基づいて、ポステリアリソース指示情報を受信することを判定したとき、端末デバイスはポステリアリソース指示情報を受信し得る。
【０１８１】
図９は、本出願による別のワイヤレス通信方法の概略フローチャートである。
【０１８２】
Ｓ６１０．ネットワークデバイスが指示シグナリングを送る。対応して、端末デバイスが、ネットワークデバイスによって送られた指示シグナリングを受信する。
【０１８３】
指示シグナリングは、再割り振りされ得る少なくとも１つの周波数領域リソースを示すために使用され得る。指示シグナリングは、端末デバイスがポステリアリソース指示情報を受信する必要があるかどうかを示すためにさらに使用され得る。詳細については、上記の説明を参照されたい。簡潔のために、ここでは詳細について再び説明されない。
【０１８４】
Ｓ６２０．端末デバイスが、指示シグナリングに基づいて、ポステリアリソース指示情報を受信すべきかどうかを判定する。
【０１８５】
特に、指示シグナリングが、割り振られ得るすべての周波数領域リソースが再割り振りされないことを示すか、または指示シグナリングが、端末デバイスがポステリアリソース指示情報を受信する必要がないことを示すとき、端末デバイスは、端末デバイスがポステリアリソース指示情報を受信する必要がないと判定する。
【０１８６】
Ｓ６３０．ネットワークデバイスはＰＤＣＣＨを送る。対応して、端末デバイスは、ネットワークデバイスによって送られたＰＤＣＣＨを受信する。
【０１８７】
詳細には、このステップについては、Ｓ２１０の説明を参照されたい。簡潔のために、ここでは詳細について再び説明されない。
【０１８８】
Ｓ６２０とＳ６３０は同時に実施されてよいか、またはＳ６３０はＳ６２０の前に実施されてよいことに留意されたい。これは、本出願のこの実施形態では限定されない。
【０１８９】
Ｓ６４０．ネットワークデバイスは、ＰＤＣＣＨによってスケジュールされる時間周波数リソースのうちの少なくとも１つを再割り振りする。
【０１９０】
詳細には、このステップについては、Ｓ２２０の説明を参照されたい。簡潔のために、ここでは詳細について再び説明されない。
【０１９１】
Ｓ６５０．ネットワークデバイスは物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を送る。
【０１９２】
特に、ネットワークデバイスは、ＰＤＣＣＨによって示され端末デバイスに割り振られた時間周波数リソース中で再割り振りされない少なくとも１つの時間周波数リソース上でＰＤＳＣＨを送る。ステップＳ６４０およびステップＳ６５０のシーケンスは、本出願では限定されないことに留意されたい。ステップＳ６５０はステップＳ６４０の前に実施されてよいか、またはステップＳ６４０は、ステップＳ６５０を実装する処理において実装されてよい。
【０１９３】
Ｓ６６０．ネットワークデバイスは、端末デバイスにポステリアリソース指示情報を送る。
【０１９４】
ポステリアリソース指示情報については、上記の説明を参照されたい。簡潔のために、ここでは詳細について再び説明されない。再スケジューリングアクションは、通常の端末にダウンリンクデータを送る処理において実施されるので、Ｓ６５０およびＳ６６０の実行シーケンスはないことがある。
【０１９５】
端末デバイスは、ネットワークデバイスによって送られたポステリアリソース指示情報を受信することも受信しないこともある。特に、端末デバイスがＳ６２０においてポステリアリソース指示情報を受信しないことを判定したとき、端末デバイスはポステリアリソース指示情報を受信しない。代替として、ＰＤＣＣＨに近いいくつかのシンボルのみを占有するＰＤＳＣＨは、緊急端末デバイスのサービスの要件を満たすことができるので、再割振りをさらに実施する必要はない。したがって、端末デバイスが、Ｓ６４０において受信されたＰＤＣＣＨに基づいて、ＰＤＳＣＨの終端シンボルが、ＰＤＣＣＨの終端シンボルからｗ個のシンボルしか離れていないことを知ったとき、端末デバイスはポステリアリソース指示情報を受信せず、ただし、ｗは１以上である。たとえば、ｗは２または３であり得る。
【０１９６】
端末デバイスは、端末デバイスがＳ６２０においてポステリアリソース指示情報を受信することを判定したとき、または端末デバイスがポステリアリソース指示情報を受信する必要があることを規格が指定するとき、ポステリアリソース指示情報を受信する。
【０１９７】
Ｓ６７０．端末デバイスは、ＰＤＣＣＨによって示され端末デバイスに割り振られた時間周波数リソース中の少なくとも１つの再割り振りされた時間周波数リソースを判定する。
【０１９８】
特に、端末デバイスは、端末デバイスがポステリアリソース指示情報を受信する必要があると端末デバイスが判定したとき、ポステリアリソース指示情報を受信する。加えて、ＰＤＣＣＨおよびポステリアリソース指示情報に基づいて、端末デバイスは、ＰＤＣＣＨによって示され端末デバイスに割り振られた時間周波数リソース中に、少なくとも１つの再割り振りされた時間周波数リソースがあるかどうかを判定し、特定の再割り振りされた時間周波数リソースを判定し得る。
【０１９９】
Ｓ６８０．端末デバイスは、ＰＤＳＣＨを復調または復号する。
【０２００】
特に、端末デバイスが、ＰＤＣＣＨによって示され端末デバイスに割り振られた時間周波数リソース中に、再割り振りされた時間周波数リソースがあるかどうかを判定し、特定の再割り振りされた時間周波数リソースを判定した後に、端末デバイスは、端末デバイスに割り振られた時間周波数リソース中で再割り振りされない少なくとも１つの時間周波数リソース上で搬送されるＰＤＳＣＨのみを復調または復号して、正しくダウンリンクデータを受信し得、それにより、リソース再割振りによって引き起こされる端末デバイスの受信性能損失が低減され得る。
【０２０１】
図９に示されているワイヤレス通信方法では、すべての端末デバイスが指示シグナリングを受信する必要があることを規格が指定するとき、ネットワークデバイスはＳ６１０を実施しなくてよく、対応して、端末デバイスは指示シグナリングを受信する必要がない。
【０２０２】
図１０は、本出願による別のワイヤレス通信方法の概略フローチャートである。
【０２０３】
Ｓ７１０．ネットワークデバイスがＰＤＣＣＨを送る。対応して、端末デバイスが、ネットワークデバイスによって送られたＰＤＣＣＨを受信する。
【０２０４】
詳細には、このステップについては、Ｓ２１０の説明を参照されたい。簡潔のために、ここでは詳細について再び説明されない。
【０２０５】
Ｓ７２０．端末デバイスが、ＰＤＣＣＨに基づいて、ポステリアリソース指示情報を受信すべきかどうかを判定する。
【０２０６】
特に、ＰＤＣＣＨは、端末デバイスがポステリアリソース指示情報を受信する必要があるかどうかを示すためにさらに使用され得る。端末デバイスは、端末デバイスがポステリアリソース指示情報を受信する必要があると、ＰＤＣＣＨに基づいて端末デバイスが判定したときのみ、ポステリアリソース指示情報を受信する。端末デバイスがポステリアリソース指示情報を受信する必要がないと、ＰＤＣＣＨに基づいて端末デバイスが判定したとき、端末デバイスはポステリアリソース指示情報を受信しない。
【０２０７】
Ｓ７３０．ネットワークデバイスは、ＰＤＣＣＨによってスケジュールされる時間周波数リソースのうちの少なくとも１つを再割り振りする。
【０２０８】
詳細には、このステップについては、Ｓ２２０の説明を参照されたい。簡潔のために、ここでは詳細について再び説明されない。
【０２０９】
Ｓ７２０およびＳ７３０の実行シーケンスはないことに留意されたい。
【０２１０】
Ｓ７４０．ネットワークデバイスは物理ダウンリンク共有チャネル（Ｐｈｙｓｉｃａｌ  Ｄｏｗｎｌｏａｄ  Ｓｈａｒｅｄ  Ｃｈａｎｎｅｌ、ＰＤＳＣＨ）を送る。
【０２１１】
特に、ネットワークデバイスは、ＰＤＣＣＨによって示され端末デバイスに割り振られた時間周波数リソース中で再割り振りされない時間周波数リソース上でＰＤＳＣＨを送る。
【０２１２】
Ｓ７５０．ネットワークデバイスは、端末デバイスにポステリアリソース指示情報を送る。
【０２１３】
ポステリアリソース指示情報については、上記の説明を参照されたい。簡潔のために、ここでは詳細について再び説明されない。再スケジューリングアクションは、通常の端末にダウンリンクデータを送る処理において実施されるので、Ｓ７４０およびＳ７５０の実行シーケンスはないことがある。
【０２１４】
端末デバイスは、ネットワークデバイスによって送られたポステリアリソース指示情報を受信することも受信しないこともある。特に、端末デバイスがＳ７２０においてポステリアリソース指示情報を受信しないことを判定したとき、端末デバイスはポステリアリソース指示情報を受信しない。端末デバイスは、端末デバイスがＳ７２０においてポステリアリソース指示情報を受信することを判定したとき、または端末デバイスがポステリアリソース指示情報を受信する必要があることを規格が指定するとき、ポステリアリソース指示情報を受信する。
【０２１５】
Ｓ７６０．端末デバイスは、ＰＤＣＣＨによって示され端末デバイスに割り振られた時間周波数リソース中の再割り振りされた時間周波数リソースを判定する。
【０２１６】
特に、端末デバイスは、端末デバイスがポステリアリソース指示情報を受信する必要があると端末デバイスが判定したとき、ポステリアリソース指示情報を受信する。加えて、ＰＤＣＣＨおよびポステリアリソース指示情報に基づいて、端末デバイスは、ＰＤＣＣＨによって示され端末デバイスに割り振られた時間周波数リソース中に、再割り振りされた時間周波数リソースがあるかどうかを判定し、特定の再割り振りされた時間周波数リソースを判定し得る。
【０２１７】
Ｓ７７０．端末デバイスは、ＰＤＳＣＨを復調または復号する。
【０２１８】
特に、端末デバイスが、ＰＤＣＣＨによって示され端末デバイスに割り振られた時間周波数リソース中に、再割り振りされた時間周波数リソースがあるかどうかを判定し、特定の再割り振りされた時間周波数リソースを判定した後に、端末デバイスは、端末デバイスに割り振られた時間周波数リソース中で再割り振りされない時間周波数リソース上で搬送されるＰＤＳＣＨのみを復調または復号して、正しくダウンリンクデータを受信し得、それにより、リソース再割振りによって引き起こされる端末デバイスの受信性能損失が低減され得る。
【０２１９】
本出願におけるワイヤレス通信方法では、緊急端末デバイスが、ポステリアリソース指示情報の時間周波数ロケーションを判定することがあり、最後の時間領域ユニットが再割り振りされる場合でも、緊急端末は、ポステリアリソース指示情報が位置する時間周波数リソースを回避し得る。一実施形態では、ＰＤＣＣＨによってスケジュールされるすべての時間周波数リソースが再割り振りされるとき、ネットワークデバイスはポステリアリソース指示情報を送らないことがあり、ネットワークデバイスは、端末デバイスが回避を実施する必要がないことを示すための指示を緊急端末デバイスに送る。別の実施形態では、通常の端末デバイスが、ポステリアリソース指示情報に欠陥があることを検出したとき、通常の端末は、ポステリアリソース指示情報によって示されるすべての時間周波数リソースが再割り振りされることを考慮する。
【０２２０】
図１１は、本出願の一実施形態によるネットワークデバイス８００の概略ブロック図である。図１１に示されているように、ネットワークデバイス８００は、送信ユニット８１０、処理ユニット８２０、および受信ユニット８３０を含む。
【０２２１】
送信ユニット８１０は、物理ダウンリンク制御チャネルＰＤＣＣＨを送るように構成され、ＰＤＣＣＨは、ネットワークデバイスによってスケジュールされた１つまたは複数の時間周波数リソースを示す。
【０２２２】
処理ユニット８２０は、時間周波数リソースのうちの少なくとも１つを再割り振りするように構成される。
【０２２３】
送信ユニット８１０は、少なくとも１つのポステリアリソース指示情報を送るようにさらに構成され、少なくとも１つのポステリアリソース指示情報は、時間周波数リソース中の再割り振りされた時間周波数リソースを示す。
【０２２４】
本出願のこの実施形態におけるネットワークデバイスは、現在のスケジューリング期間中にスケジュールされた各端末デバイスに物理ダウンリンク制御チャネルＰＤＣＣＨおよび少なくとも１つのポステリアリソース指示情報を送り、それにより、端末デバイスは、現在のスケジューリング期間中に端末デバイスに割り振られた時間周波数リソース中に少なくとも１つの再割り振りされた時間周波数リソースがあるかどうかを判定し、現在のスケジューリング期間中に端末デバイスに割り振られた時間周波数リソース中の再割り振りされた時間周波数リソースを判定することができる。このようにして、端末デバイスは、再割り振りされない少なくとも１つの時間周波数リソース上で搬送されるデータのみを受信し（たとえば、復号または復調し）得、再割り振りされた時間周波数リソース上で搬送されるデータを受信しないで（たとえば、復号または復調しないで）、ダウンリンクデータを正しく受信する。したがって、リソース再割振りによって引き起こされる端末デバイスの受信性能損失は、本出願のこの実施形態におけるネットワークデバイスを使用することによって低減され得る。
【０２２５】
本出願のこの実施形態では、送信ユニット８１０は送信機によって実装されてよく、受信ユニット８２０は受信機によって実装されてよいことに留意されたい。
【０２２６】
図１２に示されているように、ネットワークデバイス９００は、プロセッサ９１０、メモリ９２０、送信機９３０、および受信機９４０を含み得る。メモリ９２０は、命令を記憶するように構成され、プロセッサ９１０、送信機９３０、および受信機９４０は、ワイヤレス通信を制御するために、メモリ９２０に記憶された命令を実行するように構成される。
【０２２７】
任意選択で、ネットワークデバイス９００中の構成要素は、バスシステム９５０を使用することによって互いに結合され得る。データバスに加えて、バスシステム９５０は、電力バス、制御バス、およびステータス信号バスをさらに含む。
【０２２８】
本出願の上記の方法実施形態はプロセッサに適用されるか、またはプロセッサによって実装され得ることに留意されたい。プロセッサは集積回路チップであってよく、信号処理能力を有する。実装処理において、上記の方法実施形態におけるステップは、プロセッサにおいてハードウェア集積論理回路を使用することによって、またはソフトウェアの形態で命令を使用することによって実装され得る。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブル論理デバイス、個別ゲート、トランジスタ論理デバイス、または個別ハードウェア構成要素であり得る。プロセッサは、本出願の実施形態に開示される方法、ステップ、および論理ブロック図を実装または実施し得る。汎用プロセッサはマイクロプロセッサであってよいか、またはプロセッサは任意の従来のプロセッサなどであってよい。本出願の実施形態において開示される方法のステップは、ハードウェア復号プロセッサによって直接実施され完了され得るか、または復号プロセッサにおいてハードウェアモジュールとソフトウェアモジュールの組合せを使用することによって実施され完了され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当分野における成熟した記憶媒体中に位置し得る。記憶媒体はメモリ中に位置し、プロセッサは、メモリ中の情報を読み取り、プロセッサのハードウェアとの組合せで上記の方法におけるステップを完了する。
【０２２９】
本出願の実施形態におけるメモリは、揮発性メモリもしくは不揮発性メモリであり得るか、または揮発性メモリと不揮発性メモリの両方を含み得ることを理解されよう。不揮発性メモリは、読取り専用メモリ（Ｒｅａｄ−Ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去可能プログラマブル読取り専用メモリ（Ｅｒａｓａｂｌｅ  ＰＲＯＭ、ＥＰＲＯＭ）、電気消去可能プログラマブル読取り専用メモリ（Ｅｌｅｃｔｒｉｃａｌｌｙ  ＥＰＲＯＭ、ＥＥＰＲＯＭ）、またはフラッシュメモリであり得る。揮発性メモリは、外部キャッシュとして使用される、ランダムアクセスメモリ（Ｒａｎｄｏｍ  Ａｃｃｅｓｓ  Ｍｅｍｏｒｙ、ＲＡＭ）であり得る。限定ではなく例として、多くの形態のＲＡＭ、たとえば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張シンクロナスダイナミックランダムアクセスメモリ（Ｅｎｈａｎｃｅｄ  ＳＤＲＡＭ、ＥＳＤＲＡＭ）、ｓｙｎｃｈｌｉｎｋダイナミックランダムアクセスメモリ（Ｓｙｎｃｈｌｉｎｋ  ＤＲＡＭ、ＳＬＤＲＡＭ）、およびダイレクトラムバスランダムアクセスメモリ（Ｄｉｒｅｃｔ  Ｒａｍｂｕｓ  ＲＡＭ、ＤＲ  ＲＡＭ）が利用可能である。本明細書で説明されるシステムおよび方法におけるメモリは、限定はされないが、これらのメモリおよび別の適切なタイプの任意のメモリを含むことを目的とすることに留意されたい。
【０２３０】
図１１に示されているネットワークデバイス８００または図１２に示されているネットワークデバイス９００は、上記の方法実施形態において実装される処理を実装することができることを理解されたい。繰り返しを避けるために、ここでは詳細について再び説明されない。
【０２３１】
図１１および図１２に示されているネットワークデバイスでは、任意選択で、一実施形態では、時間周波数リソースは、時間領域中の少なくとも１つの時間領域スケジューリングユニットに対応し、各時間領域スケジューリングユニットは少なくとも１つのミニスロットを含むか、または各時間領域スケジューリングユニットは少なくとも１つのシンボルを含む。
【０２３２】
任意選択で、少なくとも１つのポステリアリソース指示情報は、少なくとも１つの共通ポステリアリソース指示情報を含み、少なくとも１つの時間領域スケジューリングユニットは、少なくとも１つの共通ポステリアリソース指示情報との１対１の対応にあり、少なくとも１つの共通ポステリアリソース指示情報中のＩ番目の共通ポステリアリソース指示情報は、Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，Ｘ］であり、Ｘは共通ポステリアリソース指示情報の量である。
【０２３３】
任意選択で、各共通ポステリアリソース指示情報は、時間領域中の対応する時間領域スケジューリングユニット中の最後のＭ個のシンボル上で搬送され、Ｍ≧１である。
【０２３４】
任意選択で、少なくとも１つのポステリアリソース指示情報を搬送するために使用される時間周波数リソースは、システムによって指定された予約済みリソースである。
【０２３５】
任意選択で、少なくとも１つのポステリアリソース指示情報は、少なくとも１つの専用ポステリアリソース指示情報を含み、少なくとも１つの専用ポステリアリソース指示情報は、少なくとも１つの端末デバイスとの１対１の対応にあり、少なくとも１つの端末デバイスは、ＰＤＣＣＨによってスケジュールされた端末デバイスに属し、少なくとも１つの専用ポステリアリソース指示情報中のＪ番目の専用ポステリアリソース指示情報は、Ｊ番目の専用ポステリアリソース指示情報に対応する端末デバイスに割り振られた時間周波数リソース中の再割り振りされた時間周波数リソースを示し、Ｊ∈［１，Ｙ］であり、Ｙは端末デバイスの量である。
【０２３６】
任意選択で、各専用ポステリアリソース指示情報は、対応する端末デバイスに割り振られＰＤＣＣＨによって示される最後のＮ個のシンボル上で搬送され、Ｎ≧１である。
【０２３７】
任意選択で、少なくとも１つのポステリアリソース指示情報を搬送するために使用される時間周波数リソースは、再割り振りされるのを禁止された時間周波数リソースである。
【０２３８】
図１３は、本出願の一実施形態による端末デバイス１０００の概略ブロック図である。図１３に示されているように、端末デバイス１０００は、送信ユニット１０１０、受信ユニット１０２０、および処理ユニット１０３０を含む。
【０２３９】
受信ユニット１０２０は、ネットワークデバイスによって送られた第１の物理ダウンリンク制御チャネルＰＤＣＣＨを受信するように構成され、第１のＰＤＣＣＨは、端末デバイスのためにネットワークデバイスによってスケジュールされた第１の時間周波数リソースを示す。
【０２４０】
受信ユニット１０２０は、ネットワークデバイスによって送られた少なくとも１つの第１のポステリアリソース指示情報を受信するように構成され、少なくとも１つの第１のポステリアリソース指示情報は、第１の時間周波数リソース中の再割り振りされた時間周波数リソースを示す。
【０２４１】
処理ユニット１０３０は、ネットワークデバイスによって端末デバイスに送られたダウンリンクデータを受信するように受信ユニット１０２０を、ＰＤＣＣＨおよび少なくとも１つの第１のポステリアリソース指示情報に基づいて制御するように構成される。
【０２４２】
ネットワークデバイスによって送られた第１のＰＤＣＣＨおよび少なくとも１つの第１のポステリアリソース指示情報に基づいて、本出願のこの実施形態における端末デバイスは、第１の時間周波数リソース中に少なくとも１つの再割り振りされた時間周波数リソースがあるかどうかを判定し、第１の時間周波数リソース中の再割り振りされた時間周波数リソースを判定し得る。このようにして、端末デバイスは、再割り振りされない少なくとも１つの時間周波数リソース上で搬送されるデータのみを受信し（たとえば、復号または復調し）得、再割り振りされた時間周波数リソース上で搬送されるデータを受信しないで（たとえば、復号または復調しないで）、ダウンリンクデータを正しく受信する。したがって、リソース再割振りによって引き起こされる受信性能損失は、本出願のこの実施形態における端末デバイスを使用することによって低減され得る。
【０２４３】
本出願のこの実施形態では、送信ユニット１０１０は送信機によって実装されてよく、受信ユニット１０２０は受信機によって実装されてよく、処理ユニット１０３０はプロセッサによって実装されてよいことに留意されたい。
【０２４４】
図１４に示されているように、端末デバイス１１００は、プロセッサ１１１０、メモリ１１２０、送信機１１３０、および受信機１１４０を含み得る。メモリ１１２０は、命令を記憶するように構成され、プロセッサ１１１０、送信機１１３０、および受信機１１４０は、ワイヤレス通信を制御するために、メモリ１１２０に記憶された命令を実行するように構成される。
【０２４５】
任意選択で、端末デバイス１１００中の構成要素は、バスシステム１１５０を使用することによって互いに結合され得る。データバスに加えて、バスシステム１１５０は、電力バス、制御バス、およびステータス信号バスをさらに含む。
【０２４６】
本出願の上記の方法実施形態はプロセッサに適用されるか、またはプロセッサによって実装され得ることに留意されたい。プロセッサは集積回路チップであってよく、信号処理能力を有する。実装処理において、上記の方法実施形態におけるステップは、プロセッサにおいてハードウェア集積論理回路を使用することによって、またはソフトウェアの形態で命令を使用することによって実装され得る。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブル論理デバイス、個別ゲート、トランジスタ論理デバイス、または個別ハードウェア構成要素であり得る。プロセッサは、本出願の実施形態に開示される方法、ステップ、および論理ブロック図を実装または実施し得る。汎用プロセッサはマイクロプロセッサであってよいか、またはプロセッサは任意の従来のプロセッサなどであってよい。本出願の実施形態において開示される方法のステップは、ハードウェア復号プロセッサによって直接実施され完了され得るか、または復号プロセッサにおいてハードウェアモジュールとソフトウェアモジュールの組合せを使用することによって実施され完了され得る。ソフトウェアモジュールは、ランダムアクセスメモリ、フラッシュメモリ、読取り専用メモリ、プログラマブル読取り専用メモリ、電気消去可能プログラマブルメモリ、またはレジスタなど、当分野における成熟した記憶媒体中に位置し得る。記憶媒体はメモリ中に位置し、プロセッサは、メモリ中の情報を読み取り、プロセッサのハードウェアとの組合せで上記の方法におけるステップを完了する。
【０２４７】
本出願の実施形態におけるメモリは、揮発性メモリもしくは不揮発性メモリであり得るか、または揮発性メモリと不揮発性メモリの両方を含み得ることを理解されよう。不揮発性メモリは、読取り専用メモリ（Ｒｅａｄ−Ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去可能プログラマブル読取り専用メモリ（Ｅｒａｓａｂｌｅ  ＰＲＯＭ、ＥＰＲＯＭ）、電気消去可能プログラマブル読取り専用メモリ（Ｅｌｅｃｔｒｉｃａｌｌｙ  ＥＰＲＯＭ、ＥＥＰＲＯＭ）、またはフラッシュメモリであり得る。揮発性メモリは、外部キャッシュとして使用される、ランダムアクセスメモリ（Ｒａｎｄｏｍ  Ａｃｃｅｓｓ  Ｍｅｍｏｒｙ、ＲＡＭ）であり得る。限定ではなく例として、多くの形態のＲＡＭ、たとえば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張シンクロナスダイナミックランダムアクセスメモリ（Ｅｎｈａｎｃｅｄ  ＳＤＲＡＭ、ＥＳＤＲＡＭ）、ｓｙｎｃｈｌｉｎｋダイナミックランダムアクセスメモリ（Ｓｙｎｃｈｌｉｎｋ  ＤＲＡＭ、ＳＬＤＲＡＭ）、およびダイレクトラムバスランダムアクセスメモリ（Ｄｉｒｅｃｔ  Ｒａｍｂｕｓ  ＲＡＭ、ＤＲ  ＲＡＭ）が利用可能である。本明細書で説明されるシステムおよび方法におけるメモリは、限定はされないが、これらのメモリおよび別の適切なタイプの任意のメモリを含むことを目的とすることに留意されたい。
【０２４８】
図１３に示されている端末デバイス１０００または図１４に示されている端末デバイス１１００は、上記の方法実施形態において実装される処理を実装することができることを理解されたい。繰り返しを避けるために、ここでは詳細について再び説明されない。
【０２４９】
図１３および図１４に示されている端末デバイスでは、任意選択で、一実施形態では、第１の時間周波数リソースは、時間領域中の少なくとも１つの時間領域スケジューリングユニットに対応し、各時間領域スケジューリングユニットは少なくとも１つのミニスロットを含むか、または各時間領域スケジューリングユニットは少なくとも１つのシンボルを含む。
【０２５０】
任意選択で、少なくとも１つの第１のポステリアリソース指示情報は、少なくとも１つの共通ポステリアリソース指示情報を含み、少なくとも１つの時間領域スケジューリングユニットは、少なくとも１つの共通ポステリアリソース指示情報との１対１の対応にあり、少なくとも１つの共通ポステリアリソース指示情報中のＩ番目の共通ポステリアリソース指示情報は、Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，ｘ］であり、ｘは共通ポステリアリソース指示情報の量である。
【０２５１】
任意選択で、各共通ポステリアリソース指示情報は、時間領域中の対応する時間領域スケジューリングユニット中の最後のＭ個のシンボル上で搬送され、Ｍ≧１である。
【０２５２】
任意選択で、少なくとも１つの第１のポステリアリソース指示情報を搬送するために使用される時間周波数リソースは、システムによって指定された予約済みリソースである。
【０２５３】
任意選択で、第１のポステリアリソース指示情報は、特に第１の専用ポステリアリソース指示情報であり、第１の専用ポステリアリソース指示情報は、第１の時間周波数リソース中の再割り振りされた時間周波数リソースを示す。
【０２５４】
処理ユニット１０３０またはプロセッサ１１１０は、
再割り振りされた時間周波数リソース上で搬送されるデータを、ＰＤＣＣＨおよび第１の専用ポステリアリソース指示情報に基づいて復調または復号することをスキップする
ように特に構成される。
【０２５５】
任意選択で、第１の専用ポステリアリソース指示情報は、第１の時間周波数リソースの最後のＮ個のシンボル上で搬送され、Ｎ≧１である。
【０２５６】
任意選択で、第１の専用ポステリアリソース指示情報を搬送するために使用される時間周波数リソースは、再割り振りされるのを禁止された時間周波数リソースである。
【０２５７】
本明細書全体において述べられる「一実施形態」または「実施形態」は、本実施形態に関係する特定の特徴、構造、または特性が、本出願の少なくとも１つの実施形態中に含まれることを意味することを理解されたい。したがって、本明細書全体にわたって現れる「一実施形態では」または「実施形態では」は、必ずしも同じ実施形態を意味しない。その上、特定の特徴、構造、または特性は、任意の適切な様式で１つまたは複数の実施形態において組み合わされ得る。
【０２５８】
上記の処理のシーケンス番号は、本出願の様々な実施形態における実行シーケンスを意味しないことを理解されたい。処理の実行シーケンスは、処理の機能および内部論理に基づいて判定されるべきであり、本出願の実施形態の実装処理に対するいかなる限定としても解釈されるべきではない。
【０２５９】
本明細書における「および／または」という用語は、関連する対象について説明するための結合関係のみを記述し、３つの関係が存在し得ることを表すことを理解されたい。たとえば、Ａおよび／またはＢは、Ａのみが存在すると、ＡとＢの両方が存在すると、Ｂのみが存在するとの、３つの事例を表し得る。加えて、本明細書における「／」という文字は、関連する対象間の「または」関係を概して示す。
【０２６０】
当業者は、本明細書に開示される実施形態との組合せで、説明される方法ステップおよびユニットは、電子ハードウェア、コンピュータソフトウェア、またはそれらの組合せによって実装され得ることに気づいているであろう。ハードウェアとソフトウェアとの間の互換性について明らかに説明するために、上記では、概して、各実施形態のステップおよびコンポジションについて機能に基づいて説明した。機能がハードウェアによって実施されるかソフトウェアによって実施されるかは、技術的解決策の特定の適用例および設計制約条件に依存する。当業者は、特定の適用例ごとに説明される機能を実装するために異なる方法を使用してよいが、その実装が本出願の範囲を越えると考えられるべきではない。
【０２６１】
好都合で短い説明のために、説明されるシステム、装置、およびユニットの詳細な動作処理については、方法実施形態における対応する処理を参照することが、当業者には明らかに理解されよう。ここでは詳細について再び説明されない。
【０２６２】
本出願において提供されるいくつかの実施形態では、開示されるシステム、装置、および方法は他の様式で実装されてよいことを理解されたい。たとえば、説明された装置実施形態は一例にすぎない。たとえば、ユニット分割は論理的機能分割にすぎず、実際の実装では他の分割であってよい。たとえば、複数のユニットもしくは構成要素は、組み合わされるかもしくは別のシステムに組み込まれてよく、またはいくつかの特徴は、無視されるかもしくは実施されなくてよい。加えて、表示または議論された相互結合もしくは直接結合または通信接続は、いくつかのインターフェースを使用することによって実装され得る。装置またはユニット間の間接的結合または通信接続は、電気的、機械的、または他の形態で実装され得る。
【０２６３】
別個の部分として説明されたユニットは、物理的に別個であってもなくてもよく、ユニットとして表示された部分は、物理ユニットであってもなくてもよく、１つの位置に位置しても、または複数のネットワークユニット上に分散されてもよい。ユニットの一部または全部は、実施形態の解決策の目的を達成するための実際の必要に従って選択されてよい。
【０２６４】
加えて、本出願の実施形態における機能ユニットは１つの処理ユニットに組み込まれ得るか、またはユニットの各々が物理的に単独で存在し得るか、または２つ以上のユニットが１つのユニットに組み込まれる。
【０２６５】
機能がソフトウェア機能ユニットの形態で実装され、独立した製品として販売または使用されるとき、機能はコンピュータ可読記憶媒体に記憶されてよい。そのような理解に基づいて、本出願の技術的解決策は本質的に、または従来技術に寄与する部分は、または技術的解決策のうちのいくつかは、ソフトウェア製品の形態で実装されてよい。コンピュータソフトウェア製品は、記憶媒体に記憶され、本出願の実施形態で説明される方法のステップの全部または一部を実施するように（パーソナルコンピュータ、サーバ、ネットワークデバイスなどであり得る）コンピュータデバイスに命令するためのいくつかの命令を含む。上記の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを記憶することができる任意の媒体を含む。
【０２６６】
上記の説明は、本出願の特定の実装にすぎず、本出願の保護範囲を限定するものではない。本出願に開示される技術範囲内で当業者によって容易に理解されるいかなる変更または置換も、本出願の保護範囲内に入るものである。したがって、本出願の保護範囲は、特許請求の範囲の保護範囲に従わなければならないものである。
【図１】
2019533934.tif 000003
【図２】
2019533934.tif 000004
【図３】
2019533934.tif 000005
【図４】
2019533934.tif 000006
【図５】
2019533934.tif 000007
【図６】
2019533934.tif 000008
【図７】
2019533934.tif 000009
【図８】
2019533934.tif 000010
【図９】
2019533934.tif 000011
【図１０】
2019533934.tif 000012
【図１１】
2019533934.tif 000013
【図１２】
2019533934.tif 000014
【図１３】
2019533934.tif 000015
【図１４】
2019533934.tif 000016
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
ネットワークデバイスによって物理ダウンリンク制御チャネル（ＰＤＣＣＨ）を送るステップであって、前記ＰＤＣＣＨは、前記ネットワークデバイスによってスケジュールされた１つまたは複数の時間周波数リソースを示す、ステップと、
前記ネットワークデバイスによって前記時間周波数リソースのうちの少なくとも１つを再割り振りするステップと、
前記ネットワークデバイスによって少なくとも１つのポステリアリソース指示情報を送るステップであって、前記少なくとも１つのポステリアリソース指示情報は、前記時間周波数リソース中の前記再割り振りされた時間周波数リソースを示す、ステップと
を含む、ワイヤレス通信方法。
【請求項２】
ネットワークデバイスによって物理ダウンリンク制御チャネル（ＰＤＣＣＨ）を送る前記ステップの前に、前記方法は、
前記ネットワークデバイスによって端末デバイスに第１の指示シグナリングを送るステップであって、前記第１の指示シグナリングが、再割り振りされ得る少なくとも１つの周波数領域リソースを示す、ステップ
をさらに含む請求項１に記載の方法。
【請求項３】
ネットワークデバイスによって物理ダウンリンク制御チャネル（ＰＤＣＣＨ）を送る前記ステップの前に、前記方法は、
前記ネットワークデバイスによって前記端末デバイスに第２の指示シグナリングを送るステップであって、前記第２の指示シグナリングが、前記端末デバイスが前記少なくとも１つのポステリアリソース指示情報を受信する必要があるかどうかを示す、ステップ
をさらに含む請求項１または２に記載の方法。
【請求項４】
前記時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つの直交周波数分割多重化（ＯＦＤＭ）シンボルを備える請求項１乃至３のいずれか一項に記載の方法。
【請求項５】
前記少なくとも１つのポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，Ｘ］であり、Ｘは共通ポステリアリソース指示情報の量である請求項４に記載の方法。
【請求項６】
ネットワークデバイスによって送られた第１の物理ダウンリンク制御チャネル（ＰＤＣＣＨ）を端末デバイスによって受信するステップであって、前記第１のＰＤＣＣＨは、前記端末デバイスのために前記ネットワークデバイスによってスケジュールされた１つまたは複数の第１の時間周波数リソースを示す、ステップと、
前記ネットワークデバイスによって送られた少なくとも１つの第１のポステリアリソース指示情報を前記端末デバイスによって受信するステップであって、前記少なくとも１つの第１のポステリアリソース指示情報は、前記第１の時間周波数リソース中の少なくとも１つの再割り振りされた時間周波数リソースを示す、ステップと、
前記ネットワークデバイスによって前記端末デバイスに送られたダウンリンクデータを、前記ＰＤＣＣＨおよび前記少なくとも１つの第１のポステリアリソース指示情報に基づいて前記端末デバイスによって受信するステップと
を含む、ワイヤレス通信方法。
【請求項７】
ネットワークデバイスによって送られた第１の物理ダウンリンク制御チャネル（ＰＤＣＣＨ）を端末デバイスによって受信する前記ステップの前に、前記方法は、
前記ネットワークデバイスによって送られた第１の指示シグナリングを前記端末デバイスによって受信するステップであって、前記第１の指示シグナリングが、再割り振りされ得る少なくとも１つの周波数領域リソースを示す、ステップ
をさらに含む請求項６に記載の方法。
【請求項８】
前記ネットワークデバイスによって送られた第１の物理ダウンリンク制御チャネル（ＰＤＣＣＨ）を端末デバイスによって受信する前記ステップの前に、前記方法は、
前記ネットワークデバイスによって送られた第２の指示シグナリングを前記端末デバイスによって受信するステップと、
前記端末デバイスが前記少なくとも１つの第１のポステリアリソース指示情報を受信する必要があると、前記第２の指示シグナリングに基づいて前記端末デバイスによって判定するステップと
をさらに含む請求項６または７に記載の方法。
【請求項９】
前記第１の時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つの直交周波数分割多重化（ＯＦＤＭ）シンボルを備える請求項６乃至８のいずれか一項に記載の方法。
【請求項１０】
前記少なくとも１つの第１のポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，ｘ］であり、ｘは共通ポステリアリソース指示情報の量である請求項９に記載の方法。
【請求項１１】
前記第２の指示シグナリングは、無線リソース制御（ＲＲＣ）シグナリングを使用することによって搬送される請求項３または８に記載の方法。
【請求項１２】
ネットワークデバイスであって、
物理ダウンリンク制御チャネル（ＰＤＣＣＨ）を送るように構成された送信機であって、前記ＰＤＣＣＨは、前記ネットワークデバイスによってスケジュールされた１つまたは複数の時間周波数リソースを示す、送信機と、
前記時間周波数リソースのうちの少なくとも１つを再割り振りするように構成されたプロセッサと
を備え、
前記送信機は、少なくとも１つのポステリアリソース指示情報を送るようにさらに構成され、前記少なくとも１つのポステリアリソース指示情報は、前記時間周波数リソース中の前記再割り振りされた時間周波数リソースを示す、
ネットワークデバイス。
【請求項１３】
前記送信機は、
端末デバイスに第１の指示シグナリングを送ることであって、前記第１の指示シグナリングが、再割り振りされ得る少なくとも１つの周波数領域リソースを示す、送ること
を行うようにさらに構成された請求項１２に記載のネットワークデバイス。
【請求項１４】
前記送信機は、
前記端末デバイスに第２の指示シグナリングを送ることであって、前記第２の指示シグナリングが、前記端末デバイスが前記少なくとも１つのポステリアリソース指示情報を受信する必要があるかどうかを示す、送ること
を行うようにさらに構成された請求項１２または１３に記載のネットワークデバイス。
【請求項１５】
前記時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つの直交周波数分割多重化（ＯＦＤＭ）シンボルを備える請求項１２乃至１４のいずれか一項に記載のネットワークデバイス。
【請求項１６】
前記少なくとも１つのポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の再割り振りされた時間周波数リソースを示し、Ｉ∈［１，Ｘ］であり、Ｘは共通ポステリアリソース指示情報の量である請求項１５に記載のネットワークデバイス。
【請求項１７】
ネットワークデバイスによって送られた第１の物理ダウンリンク制御チャネル（ＰＤＣＣＨ）を受信するように構成された受信機であって、前記第１のＰＤＣＣＨは、前記端末デバイスのために前記ネットワークデバイスによってスケジュールされた１つまたは複数の第１の時間周波数リソースを示し、
前記受信機は、前記ネットワークデバイスによって送られた少なくとも１つの第１のポステリアリソース指示情報を受信するようにさらに構成され、前記少なくとも１つの第１のポステリアリソース指示情報は、前記第１の時間周波数リソース中の少なくとも１つの再割り振りされた時間周波数リソースを示す、受信機と、
前記ネットワークデバイスによって前記端末デバイスに送られたダウンリンクデータを受信するように前記受信機を、前記ＰＤＣＣＨおよび前記少なくとも１つの第１のポステリアリソース指示情報に基づいて制御するように構成されたプロセッサと
を備える、端末デバイス。
【請求項１８】
前記受信機は、
前記ネットワークデバイスによって送られた第１の指示シグナリングを受信することであって、前記第１の指示シグナリングが、再割り振りされ得る周波数領域リソースを示す、受信すること
を行うようにさらに構成された請求項１７に記載の端末デバイス。
【請求項１９】
前記受信機は、
前記ネットワークデバイスによって送られた第２の指示シグナリングを受信する
ようにさらに構成され、
前記プロセッサは、
前記受信機が前記少なくとも１つの第１のポステリアリソース指示情報を受信する必要があると、前記第２の指示シグナリングに基づいて判定する
ように特に構成された請求項１７または１８に記載の端末デバイス。
【請求項２０】
前記第１の時間周波数リソースは、時間領域中の少なくとも１つの時間領域スケジューリングユニットに対応し、各時間領域スケジューリングユニットは少なくとも１つのミニスロットを備えるか、または各時間領域スケジューリングユニットは少なくとも１つの直交周波数分割多重化（ＯＦＤＭ）シンボルを備える請求項１７乃至１９のいずれか一項に記載の端末デバイス。
【請求項２１】
前記少なくとも１つの第１のポステリアリソース指示情報は、少なくとも１つの共通ポステリアリソース指示情報を備え、前記少なくとも１つの時間領域スケジューリングユニットは、前記少なくとも１つの共通ポステリアリソース指示情報との１対１の対応にあり、前記少なくとも１つの共通ポステリアリソース指示情報中のＩ番目の共通ポステリアリソース指示情報は、前記Ｉ番目の共通ポステリアリソース指示情報に対応する時間領域スケジューリングユニット中でスケジュールされた端末デバイスのうちの一部または全部によって受信され、各共通ポステリアリソース指示情報は、対応する時間領域スケジューリングユニット中の少なくとも１つの再割り振りされた時間周波数リソースを示し、Ｉ∈［１，ｘ］であり、ｘは共通ポステリアリソース指示情報の量である請求項２０に記載の端末デバイス。
【請求項２２】
前記第２の指示シグナリングは、無線リソース制御（ＲＲＣ）シグナリングを使用することによって搬送される請求項１４に記載のネットワークデバイスまたは請求項１９に記載の端末デバイス。
【請求項２３】
コンピュータプログラムまたは命令を記憶するように構成されたコンピュータ可読記憶媒体であって、前記コンピュータプログラムまたは命令がプロセッサによって実行されたとき、請求項１乃至１１のいずれか一項に記載の方法が実装される、コンピュータ可読記憶媒体。
【請求項２４】
プロセッサおよびメモリを備える装置であって、前記メモリはコンピュータプログラムまたは命令を記憶し、前記プロセッサが前記コンピュータプログラムを実行したとき、請求項１乃至１１のいずれか一項に記載の方法が実装される、装置。
【請求項２５】
コンピュータプログラムであって、前記コンピュータプログラムがプロセッサによって実行されたとき、請求項１乃至１１のいずれか一項に記載の方法が実装される、コンピュータプログラム。
【国際調査報告】
2019533934.tif 000017
2019533934.tif 000018
2019533934.tif 000019
2019533934.tif 000020